(57)【特許請求の範囲】
【請求項１】
第１のマルチキャストトラフィックチャネル（ＭＴＣＨ）を受信すること、
を備え、
少なくとも第２のＭＴＣＨのためのマルチメディアブロードキャストマルチキャストサービス（ＭＢＭＳ）制御情報を記憶することと、前記ＭＢＭＳ制御情報は、発展型ノードＢ（ｅＮＢ）から収集され、
前記第２のＭＴＣＨを受信することを判断することと、
前記第２のＭＴＣＨを受信することを前記判断すると、前記第２のＭＴＣＨのための前記記憶されたＭＢＭＳ制御情報にアクセスすることと、
前記アクセスされたＭＢＭＳ制御情報に基づいて前記第２のＭＴＣＨを受信することと、前記第２のＭＴＣＨは、前記第２のＭＴＣＨを受信するという前記判断の後、前記第２のＭＴＣＨのための前記ＭＢＭＳ制御情報を前記ｅＮＢから収集することなしに受信され、
によって特徴付けられる、ユーザ機器（ＵＥ）において動作するワイヤレス通信の方法。
【請求項２】
前記ＭＢＭＳ制御情報が、少なくとも１つのマルチキャスト制御チャネル（ＭＣＣＨ）に関する構成情報またはマルチキャストチャネル（ＭＣＨ）スケジューリング情報（ＭＳＩ）のうちの少なくとも１つを備え、前記少なくとも１つのＭＣＣＨの各々が異なるマルチキャストブロードキャスト単一周波数ネットワーク（ＭＢＳＦＮ）エリアに関連する、請求項１に記載の方法。
【請求項３】
前記構成情報がＭＢＳＦＮエリア構成メッセージ中で搬送される、請求項２に記載の方法。
【請求項４】
前記ＭＢＭＳ制御情報が前記少なくとも１つのＭＣＣＨに関する前記構成情報を備える、請求項２に記載の方法。
【請求項５】
複数のＭＢＳＦＮエリアのためのシステム情報ブロック（ＳＩＢ）を受信することと、
前記ＳＩＢ中で識別された前記複数のＭＢＳＦＮエリアの各々のための前記構成情報を収集することと
をさらに備え、
ここにおいて前記少なくとも１つのＭＣＣＨが、前記ＳＩＢ中で識別された前記複数のＭＢＳＦＮエリアの各々のためのＭＣＣＨを備え、前記ＳＩＢ中で識別された前記複数のＭＢＳＦＮエリアの各々のための前記構成情報が記憶される、請求項４に記載の方法。
【請求項６】
前記アクセスされた構成情報に基づいて、前記第２のＭＴＣＨのための物理マルチキャストチャネル（ＰＭＣＨ）を示す情報を取得することと、
ＭＳＩが前記ＰＭＣＨのために記憶されたかどうかを判断することと、
前記ＭＳＩが前記ＰＭＣＨのために記憶されていないとき、前記第２のＭＴＣＨのためのスケジューリング情報を取得するために前記ＰＭＣＨのための前記ＭＳＩを収集することと、
前記ＭＳＩが前記ＰＭＣＨのために記憶されたとき、前記第２のＭＴＣＨのためのスケジューリング情報を取得するために前記ＰＭＣＨのための前記ＭＳＩにアクセスすることと
をさらに備え、
ここにおいて前記第２のＭＴＣＨが、前記取得されたスケジューリング情報に基づいて受信される、請求項４に記載の方法。
【請求項７】
前記少なくとも１つのＭＣＣＨの各々について各ＭＣＣＨ変更期間中に前記構成情報を正常に２回以上受信することを控えることをさらに備える、請求項４に記載の方法。
【請求項８】
前記ＭＢＭＳ制御情報が、ＭＳＩメディアアクセス制御（ＭＡＣ）制御要素中で搬送される前記ＭＳＩを備える、請求項２に記載の方法。
【請求項９】
前記第１のＭＴＣＨのための第１の物理マルチキャストチャネル（ＰＭＣＨ）に関連するＭＳＩを収集することと、
前記収集されたＭＳＩを記憶することと、
前記第２のＭＴＣＨに関連する第２のＰＭＣＨが前記第１のＰＭＣＨと同じであるかどうかを判断することと、
前記第２のＰＭＣＨと前記第１のＰＭＣＨが同じでないとき、前記第２のＭＴＣＨのためのスケジューリング情報を取得するために前記第２のＰＭＣＨのためのＭＳＩを収集することと
をさらに備え、
前記第１のＰＭＣＨのための前記記憶されたＭＳＩは、前記第２のＰＭＣＨと前記第１のＰＭＣＨが同じであるとき、前記第２のＭＴＣＨのためのスケジューリング情報を取得するためにアクセスされ、前記第２のＭＴＣＨが、前記取得されたスケジューリング情報に基づいて受信される、請求項８に記載の方法。
【請求項１０】
前記第１のＭＴＣＨがＭＢＳＦＮエリアを介して受信され、前記方法は、
前記ＭＢＳＦＮエリアに関連する各物理マルチキャストチャネル（ＰＭＣＨ）のためのＭＳＩを収集することと、
前記収集されたＭＳＩを記憶することと、
前記第２のＭＴＣＨが前記ＭＢＳＦＮエリアに関連するかどうかを判断することと、
前記第２のＭＴＣＨが前記ＭＢＳＦＮエリアに無関連であるとき、前記第２のＭＴＣＨのためのスケジューリング情報を取得するためにＭＳＩを収集することと
をさらに備え、
前記記憶されたＭＳＩは、前記第２のＭＴＣＨが前記ＭＢＳＦＮエリアに関連し、それを介して受信されたとき、前記第２のＭＴＣＨのためのスケジューリング情報を取得するためにアクセスされ、前記第２のＭＴＣＨが、前記取得されたスケジューリング情報に基づいて受信される、請求項８に記載の方法。
【請求項１１】
複数のＭＢＳＦＮエリアの各々に関連する各物理マルチキャストチャネル（ＰＭＣＨ）のためのＭＳＩを収集することをさらに備え、前記収集されたＭＳＩが記憶され、前記記憶されたＭＳＩが、前記第２のＭＴＣＨのためのスケジューリング情報を取得するためにアクセスされ、前記第２のＭＴＣＨが、前記取得されたスケジューリング情報に基づいて受信される、請求項８に記載の方法。
【請求項１２】
第１のマルチキャストトラフィックチャネル（ＭＴＣＨ）を受信するための手段、
を備え、
少なくとも第２のＭＴＣＨのためのマルチメディアブロードキャストマルチキャストサービス（ＭＢＭＳ）制御情報を記憶するための手段と、前記ＭＢＭＳ制御情報は、発展型ノードＢ（ｅＮＢ）から収集され、
前記第２のＭＴＣＨを受信することを判断するための手段と、
前記第２のＭＴＣＨを受信することを前記判断すると、前記第２のＭＴＣＨのための前記記憶されたＭＢＭＳ制御情報にアクセスするための手段と、
前記アクセスされたＭＢＭＳ制御情報に基づいて前記第２のＭＴＣＨを受信するための手段と、前記第２のＭＴＣＨは、前記第２のＭＴＣＨを受信するという前記判断の後、前記第２のＭＴＣＨのための前記ＭＢＭＳ制御情報を前記ｅＮＢから収集することなしに受信され、
によって特徴付けられる、ユーザ機器（ＵＥ）におけるワイヤレス通信のための装置。
【請求項１３】
前記ＭＢＭＳ制御情報が、少なくとも１つのマルチキャスト制御チャネル（ＭＣＣＨ）に関する構成情報またはマルチキャストチャネル（ＭＣＨ）スケジューリング情報（ＭＳＩ）のうちの少なくとも１つを備え、前記少なくとも１つのＭＣＣＨの各々が異なるマルチキャストブロードキャスト単一周波数ネットワーク（ＭＢＳＦＮ）エリアに関連する、請求項１２に記載の装置。
【請求項１４】
前記ＭＢＭＳ制御情報が前記少なくとも１つのＭＣＣＨに関する前記構成情報を備え、
前記装置は、前記少なくとも１つのＭＣＣＨの各々について各ＭＣＣＨ変更期間中に前記構成情報を正常に２回以上受信することを控えるための手段をさらに備える、請求項１３に記載の装置。
【請求項１５】
実行されたとき、少なくとも１つのコンピュータに、請求項１乃至１１のうちの１つに従う方法を実行させるための実行可能な命令を備える、コンピュータプログラム。
【発明の詳細な説明】
【技術分野】
【０００１】
関連出願の相互参照
[0001]本出願は、その全体が参照により本明細書に明確に組み込まれる、２０１２年５月２日に出願された「ACHEVING FAST CHANNEL SWITCHING AND ADDING IN LTE EMBMS」と題する米国仮出願第６１／６４１，８６６号、および２０１３年１月２８日に出願された「ACHIEVING FAST EMBMS CHANNEL SWITCHING AND ADDING IN LTE」と題する米国特許出願第１３／７５２，３５２号の利益を主張する。
【０００２】
[0002]本開示は、一般に通信システムに関し、より詳細には、ロングタームエボリューション（ＬＴＥ：Long Term Evolution）発展型マルチメディアブロードキャストマルチキャストサービス（ｅＭＢＭＳ：evolved Multimedia Broadcast Multicast Service）における高速チャネル切替えおよび追加を達成することに関する。
【背景技術】
【０００３】
[0003]ワイヤレス通信システムは、電話、ビデオ、データ、メッセージング、およびブロードキャストなどの様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]これらの多元接続技術は、異なるワイヤレスデバイスが都市、国家、地域、さらには地球規模で通信することを可能にする共通プロトコルを与えるために様々な電気通信規格において採用されている。新生の電気通信規格の一例はロングタームエボリューション（ＬＴＥ）である。ＬＴＥは、第３世代パートナーシッププロジェクト（３ＧＰＰ：Third Generation Partnership Project）によって公表されたユニバーサルモバイルテレコミュニケーションズシステム（ＵＭＴＳ：Universal Mobile Telecommunications System）モバイル規格の拡張のセットである。ＬＴＥは、スペクトル効率を改善すること、コストを下げること、サービスを改善すること、新しいスペクトルを利用すること、およびダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合することによって、モバイルブロードバンドインターネットアクセスをより良くサポートするように設計されている。しかしながら、モバイルブロードバンドアクセスに対する需要が増大し続けるにつれて、ＬＴＥ技術のさらなる改善が必要である。好ましくは、これらの改善は、他の多元接続技術と、これらの技術を採用する電気通信規格とに適用可能であるべきである。
【発明の概要】
【０００５】
[0005]本開示の一態様では、方法、コンピュータプログラム製品、および装置が提供される。本装置は第１のマルチキャストトラフィックチャネルを受信する。本装置は、少なくとも第２のマルチキャストトラフィックチャネルのためのマルチメディアブロードキャストマルチキャストサービス制御情報を記憶する。本装置は、第２のマルチキャストトラフィックチャネルを受信することを判断する。本装置は、第２のマルチキャストトラフィックチャネルを受信することを判断すると、第２のマルチキャストトラフィックチャネルのための記憶されたマルチメディアブロードキャストマルチキャストサービス制御情報にアクセスする。本装置は、第２のマルチキャストトラフィックチャネルを受信するという判断の後、第２のマルチキャストトラフィックチャネルのためのマルチメディアブロードキャストマルチキャストサービス制御情報を収集すること（acquiring）なしに、アクセスされたマルチメディアブロードキャストマルチキャストサービス制御情報に基づいて第２のマルチキャストトラフィックチャネルを受信する。
【図面の簡単な説明】
【０００６】
【図１】[0006]ネットワークアーキテクチャの一例を示す図。
【図２】[0007]アクセスネットワークの一例を示す図。
【図３】[0008]ＬＴＥにおけるＤＬフレーム構造の一例を示す図。
【図４】[0009]ＬＴＥにおけるＵＬフレーム構造の一例を示す図。
【図５】[0010]ユーザプレーンおよび制御プレーンのための無線プロトコルアーキテクチャの一例を示す図。
【図６】[0011]アクセスネットワーク中の発展型ノードＢおよびユーザ機器の一例を示す図。
【図７Ａ】[0012]マルチメディアブロードキャストオーバー単一周波数ネットワーク（Multi-Media Broadcast over a Single Frequency Network）中の発展型マルチキャストブロードキャストマルチメディアサービスチャネル構成の一例を示す図。
【図７Ｂ】[0013]マルチキャストチャネルスケジューリング情報メディアアクセス制御（Multicast Channel Scheduling Information Media Access Control）制御要素のフォーマットを示す図。
【図８】[0014]例示的な方法を示すための図。
【図９】[0015]例示的な方法を示すための第２の図。
【図１０】[0016]ワイヤレス通信の第１の方法のフローチャート。
【図１１】[0017]ワイヤレス通信の第２の方法のフローチャート。
【図１２】[0018]ワイヤレス通信の第３の方法のフローチャート。
【図１３】[0019]ワイヤレス通信の第４の方法のフローチャート。
【図１４】[0020]ワイヤレス通信の第５の方法のフローチャート。
【図１５】[0021]例示的な装置中の異なるモジュール／手段／構成要素間のデータフローを示す概念データフロー図。
【図１６】[0022]処理システムを採用する装置のためのハードウェア実装形態の一例を示す図。
【発明を実施するための形態】
【０００７】
[0023]添付の図面に関して以下に示す発明を実施するための形態は、様々な構成を説明するものであり、本明細書で説明する概念が実施され得る唯一の構成を表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形式で示す。
【０００８】
[0024]次に、様々な装置および方法に関して電気通信システムのいくつかの態様を提示する。これらの装置および方法について、以下の発明を実施するための形態において説明し、（「要素」と総称される）様々なブロック、モジュール、構成要素、回路、ステップ、プロセス、アルゴリズムなどによって添付の図面に示す。これらの要素は、電子ハードウェア、コンピュータソフトウェア、またはそれらの任意の組合せを使用して実装され得る。そのような要素をハードウェアとして実装するか、ソフトウェアとして実装するかは、特定の適用例および全体的なシステムに課された設計制約に依存する。
【０００９】
[0025]例として、要素、または要素の任意の部分、または要素の任意の組合せは、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実行するように構成された他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００１０】
[0026]したがって、１つまたは複数の例示的な実施形態では、説明する機能は、ハードウェア、ソフトウェア、ファームウェア、またはそれらの任意の組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、およびフロッピー（登録商標）ディスク（disk）を含み、ディスク（disk）は、通常、データを磁気的に再生し、ディスク（disc）は、データをレーザで光学的に再生する。上記の組合せもコンピュータ可読媒体の範囲内に含まれるべきである。
【００１１】
[0027]図１は、ＬＴＥネットワークアーキテクチャ１００を示す図である。ＬＴＥネットワークアーキテクチャ１００は発展型パケットシステム（ＥＰＳ：Evolved Packet System）１００と呼ばれることがある。ＥＰＳ１００は、１つまたは複数のユーザ機器（ＵＥ）１０２と、発展型ＵＭＴＳ地上波無線アクセスネットワーク（Ｅ−ＵＴＲＡＮ：Evolved UMTS Terrestrial Radio Access Network）１０４と、発展型パケットコア（ＥＰＣ：Evolved Packet Core）１１０と、ホーム加入者サーバ（ＨＳＳ：Home Subscriber Server）１２０と、事業者のインターネットプロトコル（ＩＰ）サービス１２２とを含み得る。ＥＰＳは他のアクセスネットワークと相互接続することができるが、簡単のために、それらのエンティティ／インターフェースは図示されていない。図示のように、ＥＰＳはパケット交換サービスを提供するが、当業者なら容易に諒解するように、本開示全体にわたって提示する様々な概念は、回線交換サービスを提供するネットワークに拡張され得る。
【００１２】
[0028]Ｅ−ＵＴＲＡＮは、発展型ノードＢ（ｅＮＢ）１０６と他のｅＮＢ１０８とを含む。ｅＮＢ１０６は、ＵＥ１０２に対してユーザプレーンプロトコル終端と制御プレーンプロトコル終端とを与える。ｅＮＢ１０６は、バックホール（backhaul）（たとえば、Ｘ２インターフェース）を介して他のｅＮＢ１０８に接続され得る。ｅＮＢ１０６はまた、基地局、ノードＢ、アクセスポイント、トランシーバ基地局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることがある。ｅＮＢ１０６は、ＵＥ１０２にＥＰＣ１１０へのアクセスポイントを与える。ＵＥ１０２の例としては、セルラーフォン、スマートフォン、セッション開始プロトコル（ＳＩＰ：session initiation protocol）電話、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、タブレット、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００１３】
[0029]ｅＮＢ１０６はＥＰＣ１１０に接続される。ＥＰＣ１１０は、モビリティ管理エンティティ（ＭＭＥ：Mobility Management Entity）１１２と、他のＭＭＥ１１４と、サービングゲートウェイ１１６と、マルチメディアブロードキャストマルチキャストサービス（ＭＢＭＳ）ゲートウェイ１２４と、ブロードキャストマルチキャストサービスセンター（ＢＭ−ＳＣ：Broadcast Multicast Service Center）１２６と、パケットデータネットワーク（ＰＤＮ：Packet Data Network）ゲートウェイ１１８とを含む。ＭＭＥ１１２は、ＵＥ１０２とＥＰＣ１１０との間のシグナリングを処理する制御ノードである。概して、ＭＭＥ１１２はベアラ（bearer）および接続管理を行う。すべてのユーザＩＰパケットはサービングゲートウェイ１１６を通して転送され、サービングゲートウェイ１１６自体はＰＤＮゲートウェイ１１８に接続される。ＰＤＮゲートウェイ１１８はＵＥのＩＰアドレス割振りならびに他の機能を与える。ＰＤＮゲートウェイ１１８は事業者のＩＰサービス１２２に接続される。事業者のＩＰサービス１２２は、インターネットと、イントラネットと、ＩＰマルチメディアサブシステム（ＩＭＳ：IP Multimedia Subsystem）と、ＰＳストリーミングサービス（ＰＳＳ：PS Streaming Service）とを含み得る。ＢＭ−ＳＣ１２６は、ＭＢＭＳユーザサービスプロビジョニングおよび配信のための機能を与え得る。ＢＭ−ＳＣ１２６は、コンテンツプロバイダＭＢＭＳ送信のためのエントリーポイント（entry point）として働き得、ＰＬＭＮ内のＭＢＭＳベアラサービスを許可し、開始するために使用され得、ＭＢＭＳ送信をスケジュールし、配信するために使用され得る。ＭＢＭＳゲートウェイ１２４は、特定のサービスをブロードキャストするマルチキャストブロードキャスト単一周波数ネットワーク（ＭＢＳＦＮ：Multicast Broadcast Single Frequency Network）エリアに属するｅＮＢ（たとえば、１０６、１０８）にＭＢＭＳトラフィックを分配する（distribute）ために使用され得、セッション管理（開始／停止）と、ｅＭＢＭＳ関係の課金情報を収集することとを担当し得る。
【００１４】
[0030]図２は、ＬＴＥネットワークアーキテクチャにおけるアクセスネットワーク２００の一例を示す図である。この例では、アクセスネットワーク２００は、いくつかのセルラー領域（セル）２０２に分割される。１つまたは複数のより低い電力クラスのｅＮＢ２０８は、セル２０２のうちの１つまたは複数と重複するセルラー領域２１０を有し得る。より低い電力クラスのｅＮＢ２０８は、フェムトセル（たとえば、ホームｅＮＢ（ＨｅＮＢ））、ピコセル、マイクロセル、またはリモートラジオヘッド（ＲＲＨ）であり得る。マクロｅＮＢ２０４は各々、それぞれのセル２０２に割り当てられ、セル２０２中のすべてのＵＥ２０６にＥＰＣ１１０へのアクセスポイントを与えるように構成される。アクセスネットワーク２００のこの例には集中コントローラはないが、代替構成では集中コントローラ（centralized controller）が使用され得る。ｅＮＢ２０４は、無線ベアラ制御、承認制御、モビリティ制御、スケジューリング、セキュリティ、およびサービングゲートウェイ１１６への接続性を含む、すべての無線関係機能を担当する。
【００１５】
[0031]アクセスネットワーク２００によって採用される変調および多元接続方式は、展開されている特定の電気通信規格に応じて異なり得る。ＬＴＥ適用例では、周波数分割複信（ＦＤＤ）と時分割複信（ＴＤＤ）の両方をサポートするために、ＯＦＤＭがＤＬ上で使用され、ＳＣ−ＦＤＭＡがＵＬ上で使用される。当業者なら以下の詳細な説明から容易に諒解するように、本明細書で提示する様々な概念は、ＬＴＥ適用例に好適である。ただし、これらの概念は、他の変調および多元接続技法を採用する他の電気通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ：Ultra Mobile Broadband）に拡張され得る。ＥＶ−ＤＯおよびＵＭＢは、ＣＤＭＡ２０００規格ファミリーの一部として第３世代パートナーシッププロジェクト２（３ＧＰＰ２：3rd Generation Partnership Project 2）によって公表されたエアインターフェース規格であり、ＣＤＭＡを採用して移動局にブロードバンドインターネットアクセスを提供する。これらの概念はまた、広帯域ＣＤＭＡ（Ｗ−ＣＤＭＡ（登録商標））とＴＤ−ＳＣＤＭＡなどのＣＤＭＡの他の変形態とを採用するユニバーサル地上波無線アクセス（ＵＴＲＡ：Universal Terrestrial Radio Access）、ＴＤＭＡを採用するモバイル通信用グローバルシステム（ＧＳＭ（登録商標）：Global System for Mobile Communications）、ならびに、ＯＦＤＭＡを採用する、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは、３ＧＰＰ団体からの文書に記載されている。ＣＤＭＡ２０００およびＵＭＢは、３ＧＰＰ２団体からの文書に記載されている。採用される実際のワイヤレス通信規格および多元接続技術は、特定の適用例およびシステムに課された全体的な設計制約に依存することになる。
【００１６】
[0032]ｅＮＢ２０４は、ＭＩＭＯ技術をサポートする複数のアンテナを有し得る。ＭＩＭＯ技術の使用により、ｅＮＢ２０４は、空間多重化、ビームフォーミング、および送信ダイバーシティをサポートするために空間領域を活用することが可能になる。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコードし（すなわち、振幅および位相のスケーリングを適用し）、次いでＤＬ上で複数の送信アンテナを通して空間的にプリコードされた各ストリームを送信することによって達成される。空間的にプリコードされたデータストリームは、異なる空間シグナチャとともに（１つまたは複数の）ＵＥ２０６に到着し、これにより、（１つまたは複数の）ＵＥ２０６の各々がそのＵＥ２０６に宛てられた１つまたは複数のデータストリームを復元することが可能になる。ＵＬ上で、各ＵＥ２０６は、空間的にプリコードされたデータストリームを送信し、これにより、ｅＮＢ２０４は、空間的にプリコードされた各データストリームのソースを識別することが可能になる。
【００１７】
[0033]空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを通して送信するためのデータを空間的にプリコードすることによって達成され得る。セルのエッジにおいて良好なカバレージを達成するために、送信ダイバーシティと組み合わせてシングルストリームビームフォーミング送信が使用され得る。
【００１８】
[0034]以下の詳細な説明では、ＤＬ上でＯＦＤＭをサポートするＭＩＭＯシステムを参照しながらアクセスネットワークの様々な態様について説明する。ＯＦＤＭは、ＯＦＤＭシンボル内のいくつかのサブキャリアを介してデータを変調するスペクトル拡散技法である。サブキャリアは正確な周波数で離間する。離間は、受信機がサブキャリアからデータを復元することを可能にする「直交性（orthogonality）」を与える。時間領域では、ＯＦＤＭシンボル間干渉をなくすために、ガードインターバル（たとえば、サイクリックプレフィックス）が各ＯＦＤＭシンボルに追加され得る。ＵＬは、高いピーク対平均電力比（ＰＡＰＲ：peak-to-average power ratio）を補償するために、ＳＣ−ＦＤＭＡをＤＦＴ拡散ＯＦＤＭ信号の形態で使用し得る。
【００１９】
[0035]図３は、ＬＴＥにおけるＤＬフレーム構造の一例を示す図３００である。フレーム（１０ｍｓ）は、等しいサイズの１０個のサブフレームに分割され得る。各サブフレームは、２つの連続するタイムスロットを含み得る。２つのタイムスロットを表すためにリソースグリッド（resource grid）が使用され得、各タイムスロットはリソースブロックを含む。リソースグリッドは複数のリソース要素に分割される。ＬＴＥでは、リソースブロックは、周波数領域中に１２個の連続サブキャリアを含んでおり、各ＯＦＤＭシンボル中のノーマルサイクリックプレフィックスについて、時間領域中に７個の連続ＯＦＤＭシンボル、または８４個のリソース要素を含んでいる。拡張サイクリックプレフィックスについて、リソースブロックは、時間領域中に６個の連続ＯＦＤＭシンボルを含んでおり、７２個のリソース要素を有する。Ｒ３０２、３０４として示されるリソース要素のいくつかは、ＤＬ基準信号（ＤＬ−ＲＳ）を含む。ＤＬ−ＲＳは、（共通ＲＳと呼ばれることもある）セル固有ＲＳ（ＣＲＳ：Cell-specific RS）３０２と、ＵＥ固有ＲＳ（ＵＥ−ＲＳ：UE-specific RS）３０４とを含む。ＵＥ−ＲＳ３０４は、対応する物理ＤＬ共有チャネル（ＰＤＳＣＨ：physical DL shared channel）がマッピングされるリソースブロック上でのみ送信される。各リソース要素によって搬送されるビット数は変調方式に依存する。したがって、ＵＥが受信するリソースブロックが多いほど、また変調方式が高いほど、ＵＥのデータレートは高くなる。
【００２０】
[0036]図４は、ＬＴＥにおけるＵＬフレーム構造の一例を示す図４００である。ＵＬのために利用可能なリソースブロックは、データセクションと制御セクションとに区分され得る。制御セクションは、システム帯域幅の２つのエッジにおいて形成され得、構成可能なサイズを有し得る。制御セクション中のリソースブロックは、制御情報を送信するためにＵＥに割り当てられ得る。データセクションは、制御セクション中に含まれないすべてのリソースブロックを含み得る。ＵＬフレーム構造は、データセクション中の連続するサブキャリアのすべてを単一のＵＥに割り当てることを可能にし得る連続サブキャリアを含むデータセクションを生じる。
【００２１】
[0037]ＵＥには、ｅＮＢに制御情報を送信するために制御セクション中のリソースブロック４１０ａ、４１０ｂが割り当てられ得る。ＵＥには、ｅＮＢにデータを送信するためにデータセクション中のリソースブロック４２０ａ、４２０ｂも割り当てられ得る。ＵＥは、制御セクション中の割り当てられたリソースブロック上の物理ＵＬ制御チャネル（ＰＵＣＣＨ：physical uplink control channel）中で制御情報を送信し得る。ＵＥは、データセクション中の割り当てられたリソースブロック上の物理ＵＬ共有チャネル（ＰＵＳＣＨ：physical uplink shared channel）中でデータのみまたはデータと制御情報の両方を送信し得る。ＵＬ送信は、サブフレームの両方のスロットにわたり得、周波数上でホッピングし得る。
【００２２】
[0038]リソースブロックのセットは、初期システムアクセスを実行し、物理ランダムアクセスチャネル（ＰＲＡＣＨ：physical random access channel）４３０中でＵＬ同期を達成するために使用され得る。ＰＲＡＣＨ４３０は、ランダムシーケンスを搬送し、いかなるＵＬデータ／シグナリングも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試みは単一のサブフレーム（１ｍｓ）中でまたは少数の連続サブフレームのシーケンス中で搬送され、ＵＥは、フレーム（１０ｍｓ）ごとに単一のＰＲＡＣＨ試みだけを行うことができる。
【００２３】
[0039]図５は、ＬＴＥにおけるユーザプレーンおよび制御プレーンのための無線プロトコルアーキテクチャの一例を示す図５００である。ＵＥおよびｅＮＢのための無線プロトコルアーキテクチャは、レイヤ１と、レイヤ２と、レイヤ３との３つのレイヤとともに示されている。レイヤ１（Ｌ１レイヤ）は最下位レイヤであり、様々な物理レイヤ信号処理機能を実装する。Ｌ１レイヤを本明細書では物理レイヤ５０６と呼ぶ。レイヤ２（Ｌ２レイヤ）５０８は、物理レイヤ５０６の上にあり、物理レイヤ５０６を介したＵＥとｅＮＢとの間のリンクを担当する。
【００２４】
[0040]ユーザプレーンでは、Ｌ２レイヤ５０８は、ネットワーク側のｅＮＢにおいて終端される、媒体アクセス制御（ＭＡＣ：media access control）サブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含む。図示されていないが、ＵＥは、ネットワーク側のＰＤＮゲートウェイ１１８において終端されるネットワークレイヤ（たとえば、ＩＰレイヤ）と、接続の他端（たとえば、ファーエンドＵＥ、サーバなど）において終端されるアプリケーションレイヤとを含むＬ２レイヤ５０８の上にいくつかの上位レイヤを有し得る。
【００２５】
[0041]ＰＤＣＰサブレイヤ５１４は、異なる無線ベアラと論理チャネルとの間の多重化を行う。ＰＤＣＰサブレイヤ５１４はまた、無線送信オーバーヘッドを低減するための上位レイヤデータパケットのヘッダ圧縮と、データパケットを暗号化することによるセキュリティと、ＵＥに対するｅＮＢ間のハンドオーバサポートとを与える。ＲＬＣサブレイヤ５１２は、上位レイヤデータパケットのセグメンテーションおよび再統合と、紛失データパケットの再送信と、ハイブリッド自動再送要求（ＨＡＲＱ：hybrid automatic repeat request）による、順が狂った受信を補正するデータパケットの並べ替えとを行う。ＭＡＣサブレイヤ５１０は、論理チャネルとトランスポートチャネルとの間の多重化を行う。ＭＡＣサブレイヤ５１０はまた、ＵＥの間で１つのセル中の様々な無線リソース（たとえば、リソースブロック）を割り振ることを担当する。ＭＡＣサブレイヤ５１０はまたＨＡＲＱ動作を担当する。
【００２６】
[0042]制御プレーンでは、ＵＥおよびｅＮＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ：radio resource control）サブレイヤ５１６を含む。ＲＲＣサブレイヤ５１６は、無線リソース（たとえば、無線ベアラ）を取得することと、ｅＮＢとＵＥとの間のＲＲＣシグナリングを使用して下位レイヤを構成することとを担当する。
【００２７】
[0043]図６は、アクセスネットワーク中でＵＥ６５０と通信しているｅＮＢ６１０のブロック図である。ＤＬでは、コアネットワークからの上位レイヤパケットがコントローラ／プロセッサ６７５に与えられる。コントローラ／プロセッサ６７５はＬ２レイヤの機能を実装する。ＤＬでは、コントローラ／プロセッサ６７５は、様々な優先度メトリックに基づいてヘッダ圧縮と、暗号化と、パケットのセグメント化および並べ替えと、論理チャネルとトランスポートチャネルとの間の多重化と、ＵＥ６５０への無線リソース割振りとを行う。コントローラ／プロセッサ６７５はまた、ＨＡＲＱ動作と、紛失パケットの再送信と、ＵＥ６５０へのシグナリングとを担当する。
【００２８】
[0044]送信（ＴＸ）プロセッサ６１６は、Ｌ１レイヤ（すなわち、物理レイヤ）のための様々な信号処理機能を実装する。信号処理機能は、ＵＥ６５０における前方誤り訂正（ＦＥＣ：forward error correction）と、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づいた信号コンスタレーション（signal constellations）へのマッピングとを可能にするために、コーディングとインターリービングとを含む。次いで、コーディングされた変調されたシンボルは並列ストリームに分割される。各ストリームは、次いでＯＦＤＭサブキャリアにマッピングされ、時間領域および／または周波数領域中で基準信号（たとえば、パイロット）と多重化され、次いで逆高速フーリエ変換（ＩＦＦＴ：Inverse Fast Fourier Transform）を使用して互いに合成されて、時間領域ＯＦＤＭシンボルストリームを搬送する物理チャネルを生成する。ＯＦＤＭストリームは、複数の空間ストリームを生成するために空間的にプリコーディングされる。チャネル推定器６７４からのチャネル推定値は、符号化および変調方式を判断するために、ならびに空間処理のために使用され得る。チャネル推定値は、ＵＥ６５０によって送信される基準信号および／またはチャネル状態フィードバックから導出され得る。各空間ストリームは、次いで、別個の送信機６１８ＴＸを介して異なるアンテナ６２０に与えられる。各送信機６１８ＴＸは、送信のためにそれぞれの空間ストリームでＲＦキャリアを変調する。
【００２９】
[0045]ＵＥ６５０において、各受信機６５４ＲＸは、それのそれぞれのアンテナ６５２を通して信号を受信する。各受信機６５４ＲＸは、ＲＦキャリア上に変調された情報を復元し、受信機（ＲＸ）プロセッサ６５６に情報を与える。ＲＸプロセッサ６５６は、Ｌ１レイヤの様々な信号処理機能を実装する。ＲＸプロセッサ６５６は、ＵＥ６５０に宛てられた任意の空間ストリームを復元するために、情報に対して空間処理を実行する。複数の空間ストリームがＵＥ６５０に宛てられた場合、それらはＲＸプロセッサ６５６によって単一のＯＦＤＭシンボルストリームに合成され得る。ＲＸプロセッサ６５６は、次いで高速フーリエ変換（ＦＦＴ：Fast Fourier Transform）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと基準信号とは、ｅＮＢ６１０によって送信される、可能性が最も高い信号のコンスタレーションポイントを判断することによって復元され、復調される。これらの軟判定は、チャネル推定器６５８によって計算されるチャネル推定値に基づき得る。軟判定は、次いで、物理チャネル上でｅＮＢ６１０によって最初に送信されたデータと制御信号とを復元するために復号され、デインターリーブされる（deinterleaved）。データおよび制御信号は、次いで、コントローラ／プロセッサ６５９に与えられる。
【００３０】
[0046]コントローラ／プロセッサ６５９はＬ２レイヤを実装する。コントローラ／プロセッサは、プログラムコードおよびデータを記憶するメモリ６６０に関連し得る。メモリ６６０はコンピュータ可読媒体と呼ばれることがある。ＵＬでは、コントローラ／プロセッサ６５９は、コアネットワークからの上位レイヤパケットを復元するために、トランスポートチャネルと論理チャネルとの間の多重分離と、パケットリアセンブリと、復号（decipher）と、ヘッダ復元（decompression）と、制御信号処理とを行う。上位レイヤパケットは、次いで、Ｌ２レイヤの上のすべてのプロトコルレイヤを表すデータシンク６６２に与えられる。また、様々な制御信号がＬ３処理のためにデータシンク６６２に与えられ得る。コントローラ／プロセッサ６５９はまた、ＨＡＲＱ動作をサポートするために肯定応答（ＡＣＫ）および／または否定応答（ＮＡＣＫ）プロトコルを使用した誤り検出を担当する。
【００３１】
[0047]ＵＬでは、データソース６６７は、コントローラ／プロセッサ６５９に上位レイヤパケットを与えるために使用される。データソース６６７は、Ｌ２レイヤの上のすべてのプロトコルレイヤを表す。ｅＮＢ６１０によるＤＬ送信に関して説明した機能と同様に、コントローラ／プロセッサ６５９は、ヘッダ圧縮と、暗号化と、パケットのセグメント化および並べ替えと、ｅＮＢ６１０による無線リソース割振りに基づいた論理チャネルとトランスポートチャネルとの間の多重化とを行うことによって、ユーザプレーンおよび制御プレーンのためのＬ２レイヤを実装する。コントローラ／プロセッサ６５９はまた、ＨＡＲＱ動作、紛失パケットの再送信、およびｅＮＢ６１０へのシグナリングを担当する。
【００３２】
[0048]ｅＮＢ６１０によって送信される基準信号またはフィードバックからの、チャネル推定器６５８によって導出されるチャネル推定値は、適切なコーディングおよび変調方式を選択することと、空間処理を可能にすることとを行うために、ＴＸプロセッサ６６８によって使用され得る。ＴＸプロセッサ６６８によって生成される空間ストリームは、別個の送信機６５４ＴＸを介して異なるアンテナ６５２に与えられる。各送信機６５４ＴＸは、送信のためにそれぞれの空間ストリームでＲＦキャリアを変調する。
【００３３】
[0049]ＵＬ送信は、ＵＥ６５０における受信機機能に関して説明した方法と同様の方法でｅＮＢ６１０において処理される。各受信機６１８ＲＸは、それのそれぞれのアンテナ６２０を通して信号を受信する。各受信機６１８ＲＸは、ＲＦキャリア上で変調された情報を復元し、ＲＸプロセッサ６７０に情報を与える。ＲＸプロセッサ６７０はＬ１レイヤを実装し得る。
【００３４】
[0050]コントローラ／プロセッサ６７５はＬ２レイヤを実装する。コントローラ／プロセッサ６７５は、プログラムコードおよびデータを記憶するメモリ６７６に関連し得る。メモリ６７６はコンピュータ可読媒体と呼ばれることがある。ＵＬでは、コントロール／プロセッサ６７５は、ＵＥ６５０からの上位レイヤパケットを復元するために、トランスポートチャネルと論理チャネルとの間の多重分離と、パケットリアセンブリと、復号と、ヘッダ復元と、制御信号処理とを行う。コントローラ／プロセッサ６７５からの上位レイヤパケットはコアネットワークに与えられ得る。コントローラ／プロセッサ６７５はまた、ＨＡＲＱ動作をサポートするためにＡＣＫおよび／またはＮＡＣＫプロトコルを使用した誤り検出を担当する。
【００３５】
[0051]図７Ａは、ＭＢＳＦＮにおけるｅＭＢＭＳチャネル構成の一例を示す図７５０である。セル７５２’中のｅＮＢ７５２は第１のＭＢＳＦＮエリアを形成し得、セル７５４’中のｅＮＢ７５４は第２のＭＢＳＦＮエリアを形成し得る。ｅＮＢ７５２、７５４はそれぞれ、他のＭＢＳＦＮエリア、たとえば、最高合計８つのＭＢＳＦＮエリアに関連し得る。ＭＢＳＦＮエリア内のセルが予約済みセル（reserved cell）を指定され得る。予約済みセルは、マルチキャスト／ブロードキャストコンテンツを与えないが、セル７５２’、７５４’に時間同期させられ、ＭＢＳＦＮエリアへの干渉を制限するために、ＭＢＳＦＮリソース上で制限電力を有する。ＭＢＳＦＮエリア中の各ｅＮＢは、同じｅＭＢＭＳ制御情報およびデータを同期的に送信する。各エリアは、ブロードキャストサービス、マルチキャストサービス、およびユニキャストサービスをサポートし得る。ユニキャストサービスは、特定のユーザを対象とするサービス、たとえば、音声通話である。マルチキャストサービスは、ユーザのグループによって受信され得るサービス、たとえば、サブスクリプションビデオサービス（subscription video service）である。ブロードキャストサービスは、すべてのユーザによって受信され得るサービス、たとえば、ニュースブロードキャストである。図７Ａを参照すると、第１のＭＢＳＦＮエリアは、特定のニュースブロードキャストをＵＥ７７０に与えることなどによって、第１のｅＭＢＭＳブロードキャストサービスをサポートし得る。第２のＭＢＳＦＮエリアは、異なるニュースブロードキャストをＵＥ７６０に与えることなどによって、第２のｅＭＢＭＳブロードキャストサービスをサポートし得る。各ＭＢＳＦＮエリアは、複数の物理マルチキャストチャネル（ＰＭＣＨ：physical multicast channel）（たとえば、１５個のＰＭＣＨ）をサポートする。各ＰＭＣＨはマルチキャストチャネル（ＭＣＨ：multicast channel）に対応する。各ＭＣＨは、複数（たとえば、２９個）のマルチキャスト論理チャネルを多重化することができる。各ＭＢＳＦＮエリアは、１つのマルチキャスト制御チャネル（ＭＣＣＨ：multicast control channel）を有し得る。したがって、１つのＭＣＨは、１つのＭＣＣＨと複数のマルチキャストトラフィックチャネル（ＭＴＣＨ：multicast traffic channel）とを多重化し得、残りのＭＣＨは複数のＭＴＣＨを多重化し得る。
【００３６】
[0052]ＵＥは、ｅＭＢＭＳサービスアクセスの利用可能性と、対応するアクセス層構成（access stratum configuration）を発見するためにＬＴＥセルにキャンプオンし（camp on）得る。第１のステップにおいて、ＵＥは、システム情報ブロック（ＳＩＢ）１３（ＳＩＢ１３）を収集する。第２のステップにおいて、ＳＩＢ１３に基づいて、ＵＥは、ＭＣＣＨ上でＭＢＳＦＮエリア構成メッセージを収集する。第３のステップにおいて、ＭＢＳＦＮエリア構成メッセージに基づいて、ＵＥは、ＭＣＨスケジューリング情報（ＭＳＩ）ＭＡＣ制御要素を収集する。ＳＩＢ１３は、（１）セルによってサポートされる各ＭＢＳＦＮエリアのＭＢＳＦＮエリア識別子と、（２）ＭＣＣＨ繰り返し期間（たとえば、３２個、６４個、．．．、２５６個のフレーム）、ＭＣＣＨオフセット（たとえば、０、１つ、．．．、１０個のフレーム）、ＭＣＣＨ変更期間（たとえば、５１２個、１０２４個のフレーム）、シグナリング変調およびコーディング方式（ＭＣＳ）、繰り返し期間とオフセットとによって示される無線フレームのどのサブフレームがＭＣＣＨを送信することができるかを示すサブフレーム割振り情報など、ＭＣＣＨを収集するための情報と、（３）ＭＣＣＨ変更通知構成とを示す。各ＭＢＳＦＮエリアについて１つのＭＢＳＦＮエリア構成メッセージがある。ＭＢＳＦＮエリア構成メッセージは、（１）ＰＭＣＨ内の論理チャネル識別子によって識別される各ＭＴＣＨの一時的モバイルグループ識別情報（ＴＭＧＩ：temporary mobile group identity）および随意のセッション識別子と、（２）ＭＢＳＦＮエリアの各ＰＭＣＨを送信するための割り振られたリソース（すなわち、無線フレームおよびサブフレーム）およびそのエリア中のすべてのＰＭＣＨのための割り振られたリソースの割振り期間（たとえば、４つ、８つ、．．．、２５６個のフレーム）と、（３）ＭＳＩ  ＭＡＣ制御要素が送信されるＭＣＨスケジューリング期間（ＭＳＰ）（たとえば、８つ、１６個、３２個、．．．、または１０２４個の無線フレーム）とを示す。
【００３７】
[0053]図７Ｂは、ＭＳＩ  ＭＡＣ制御要素のフォーマットを示す図７９０である。ＭＳＩ  ＭＡＣ制御要素は、ＭＳＰごとに一度送られ得る。ＭＳＩ  ＭＡＣ制御要素は、ＰＭＣＨの各スケジューリング期間の第１のサブフレーム中で送られ得る。ＭＳＩ  ＭＡＣ制御要素は、ＰＭＣＨ内の各ＭＴＣＨの停止フレームおよびサブフレームを示すことができる。ＭＢＳＦＮエリアごとにＰＭＣＨ当たり１つのＭＳＩがある。
【００３８】
[0054]図８は、例示的な方法を説明するための図８００である。ＵＥはサービングｅＮＢからＳＩＢ１３  ８０２を受信し得る。上記で説明したように、ＳＩＢ１３は、ｅＮＢによってサポートされる各ＭＢＳＦＮエリアのＭＢＳＦＮエリア識別子を含む。ＳＩＢ１３  ８０２は、ＭＣＣＨ繰り返し期間８１４、ＭＣＣＨオフセット、およびＭＣＣＨ変更期間８１２に関する情報など、サポートされるＭＢＳＦＮエリアの各々のためのＭＣＣＨ（たとえば、ＭＣＣＨ８０４およびＭＣＣＨ８０６）を収集するための情報をさらに含む。ＭＣＣＨ繰り返し期間８１４は、ＭＢＳＦＮエリア構成メッセージを搬送するＭＣＣＨが繰り返す時間期間である。ＭＣＣＨオフセットは、ＭＣＣＨ変更期間８１２からのＭＣＣＨ繰り返し期間８１４の開始のオフセットである。ＳＩＢ１３  ８０２は、シグナリングＭＣＳと、サブフレーム割振り情報と、ＭＣＣＨ変更通知構成情報とをさらに含む。ＭＣＣＨはＭＢＳＦＮエリア構成メッセージを搬送する。ＭＢＳＦＮエリア構成メッセージは、ＭＢＳＦＮエリアの各ＰＭＣＨに関連する各ＭＴＣＨのＴＭＧＩおよび随意のセッションＩＤと、ＭＢＳＦＮエリアの各ＰＭＣＨのための割り振られたリソースと、ＭＳＩ（たとえば、ＭＳＩ８０８および／またはＭＳＩ８１０）が収集され得る、共通サブフレーム割振り期間８１６内のＭＳＰとを含む。ＭＢＳＦＮエリア構成メッセージから、ＵＥは、当該のＴＭＧＩ（a TMGI of interest）のためのＭＳＩをどのように取得するかを判断することができる。
【００３９】
[0055]ユーザが、異なるトラフィックチャネルを選択する／異なるトラフィックチャネルに切り替えるか、または新しいトラフィックチャネルを追加したとき、ＵＥは、新しいトラフィックチャネルを受信するために新しいトラフィックチャネルのためのＭＣＣＨおよびＭＳＩを収集する。ＭＣＣＨ繰り返し期間およびＭＳＰに応じて、時間遅延は変動することができる。たとえば、ＭＣＣＨ繰り返し期間が１２８個の無線フレームであり、ＭＳＰが１２８個の無線フレームである場合、ＵＥは、新しいトラフィックチャネルが受信され得る前に２．５６秒待つことができる。長い遅延はユーザエクスペリエンスを実質的に低下させることがある。
【００４０】
[0056]例示的な方法では、ＵＥは、ＵＥが受信していない少なくとも１つのＭＴＣＨのためのｅＭＢＭＳ制御情報（たとえば、ＭＢＳＦＮエリア構成メッセージ中の構成情報および／またはＭＳＩ）を記憶し、少なくとも１つのＭＴＣＨのうちのＭＴＣＨを受信したことを判断すると、記憶されたｅＭＢＭＳ制御情報にアクセスする。詳細には、ＵＥは第１のＭＴＣＨを受信し得る。ＵＥは、少なくとも第２のＭＴＣＨのためのｅＭＢＭＳ制御情報を記憶し得る。ある時点において、ＵＥは、第２のＭＴＣＨを受信することを判断し得る。第２のＭＴＣＨを受信することを判断すると、ＵＥは、第２のＭＴＣＨのための記憶されたＭＢＭＳ制御情報にアクセスする。ＵＥは、次いで、第２のＭＴＣＨを受信するという判断の後、第２のＭＴＣＨのためのＭＢＭＳ制御情報を収集することなしに、アクセスされたＭＢＭＳ制御情報に基づいて第２のＭＴＣＨを受信する。
【００４１】
[0057]第１の構成では、ＵＥは、ＳＩＢ１３を収集し、サービングｅＮＢによってサポートされるＭＢＳＦＮエリアを判断する。ＵＥは、次いで、ＭＣＣＨのＭＢＳＦＮエリア構成メッセージまたは複数のＭＢＳＦＮエリアのためのメッセージ内の情報を収集し、記憶する。たとえば、サービングｅＮＢが２つ以上のＭＢＳＦＮエリアをサポートする場合、ＵＥは、ＭＣＣＨ８０４およびＭＣＣＨ８０６のためのＭＢＳＦＮエリア構成メッセージを収集し、記憶し得る。ＭＢＳＦＮエリア構成メッセージの処理を低減するために、ＵＥがＭＢＳＦＮエリア構成メッセージを正常に収集すると、ＵＥは、ＭＣＣＨ変更期間８１２の間にＭＣＣＨの残りの繰り返しをスキップし、ＭＢＳＦＮエリア構成メッセージの後続のインスタンスを受信することを控え得る。たとえば、図８に示されているように、ＵＥがＭＣＣＨ変更期間８１２内にＭＣＣＨ８０４、８０６の第１のインスタンスを正常に収集した場合、ＵＥは、同じＭＣＣＨ変更期間８１２中にＭＣＣＨ８０４、８０６の後続のインスタンスを受信することを控え得る。第１の構成では、ＵＥが第２のＭＴＣＨを受信することを判断したとき、ＵＥは、第２のＭＴＣＨを与えるＭＢＳＦＮエリアを判断し、判断されたＭＢＳＦＮエリアのための記憶されたＭＢＳＦＮエリア構成メッセージにアクセスする。したがって、ＵＥは、第２のＭＴＣＨに関連するＭＢＳＦＮエリア構成メッセージを収集するのを待つのではなく、第２のＭＴＣＨに関連する記憶されたＭＢＳＦＮエリア構成メッセージにアクセスすることによって時間を節約する。
【００４２】
[0058]第２の構成では、ＵＥは、追加または代替としてＭＳＩを記憶し得る。ＵＥは、第１のＭＴＣＨに関連するＰＭＣＨのためのＭＳＩ、第１のＭＴＣＨを与えるＭＢＳＦＮエリアに関連するすべてのＰＭＣＨのためのＭＳＩ、またはＭＢＳＦＮエリアのすべてに関連するすべてのＰＭＣＨのためのＭＳＩを記憶し得る。第１および第２の構成の一例を図９に関して以下で与える。
【００４３】
[0059]図９は、例示的な方法を説明するための図９００である。上記で説明したように、ＵＥは、複数のＭＢＳＦＮエリアのためのＭＢＳＦＮエリア構成メッセージからの構成情報および／または１つまたは複数のＰＭＣＨのためのＭＳＩを記憶し、新しいｅＭＢＭＳチャネルのためのｅＭＢＭＳ制御情報を収集するのを待つことなしに、迅速にそのｅＭＢＭＳチャネルを追加するかまたはそれに切り替えるために、記憶された情報にアクセスする。たとえば、ＵＥが第１のＭＢＳＮエリア９０６のＰＭＣＨ（１）に関連するＭＴＣＨ（１）９１０を受信していると仮定する。ＭＴＣＨ（１）９１０を受信している間、ＵＥは、ＭＢＳＦＮエリア構成メッセージ９０２、９０４を収集し、ＭＢＳＦＮエリア構成メッセージ９０２、９０４中の構成情報を記憶し得る。ＵＥが第１のＭＢＳＦＮエリア９０６のＰＭＣＨ（１４）に関連するＭＴＣＨ（０）９１２を受信することを判断したとき、ＵＥは、ＴＭＧＩおよび随意のセッション識別子と、第１のＭＢＳＦＮエリア９０６の各ＰＭＣＨを送信するための割り振られたリソースおよび第１のＭＢＳＦＮエリア９０６中のすべてのＰＭＣＨのための割り振られたリソースの割振り期間と、ＭＳＩ  ＭＡＣ制御要素が送信されるＭＳＰとを取得するために、記憶された構成情報にアクセスする。取得された構成情報に基づいて、ＵＥは第１のＭＢＳＦＮエリア９０６のＰＭＣＨ（１４）のためのＭＳＩを取得する。取得されたＭＳＩに基づいて、ＵＥはＭＴＣＨ（０）９１２を受信することが可能である。ＵＥは、さもなければ、ＭＣＣＨを監視することによってＵＥがＭＢＳＦＮエリア構成メッセージ９０２中の構成情報を取得した場合にＵＥがＭＴＣＨを受信していたであろうよりも速く／早くＭＴＣＨ（０）９１２を受信し得る。
【００４４】
[0060]同様に、ＵＥが第２のＭＢＳＦＮエリア９０８のＰＭＣＨ（０）に関連するＭＴＣＨ（１）９１４を受信することを判断したとき、ＵＥは、ＴＭＧＩおよび随意のセッション識別子と、第２のＭＢＳＦＮエリア９０８の各ＰＭＣＨを送信するための割り振られたリソースおよび第２のＭＢＳＦＮエリア９０８中のすべてのＰＭＣＨのための割り振られたリソースの割振り期間と、ＭＳＩ  ＭＡＣ制御要素が送信されるＭＳＰとを取得するために、記憶された構成情報にアクセスする。取得された構成情報に基づいて、ＵＥは第２のＭＢＳＦＮエリア９０８のＰＭＣＨ（０）のためのＭＳＩを取得する。取得されたＭＳＩに基づいて、ＵＥはＭＴＣＨ（１）９１４を受信することが可能である。ＵＥは、さもなければ、ＭＣＣＨを監視することによってＵＥがＭＢＳＦＮエリア構成メッセージ９０４中の構成情報を取得した場合にＵＥがＭＴＣＨを受信していたであろうよりも速く／早くＭＴＣＨ（１）９１４を受信し得る。
【００４５】
[0061]ＵＥは、代替または追加として、１つまたは複数のＰＭＣＨに関連するＭＳＩを記憶し得る。たとえば、ＵＥが第１のＭＢＳＦＮエリア９０６のＰＭＣＨ（１）に関連するＭＴＣＨ（１）９１０を受信していると仮定する。第１の実施形態では、ＵＥは、第１のＭＢＳＦＮエリア９０６のＰＭＣＨ（１）に関連するＭＳＩ1,1を記憶し得る。第２の実施形態では、ＵＥは、第１のＭＢＳＦＮエリア９０６のすべてのＰＭＣＨに関連するＭＳＩ1,0、ＭＳＩ1,1、．．．、ＭＳＩ1,14を記憶し得る。第３の実施形態では、ＵＥは、第１のＭＢＳＦＮエリア９０６のすべてのＰＭＣＨに関連するＭＳＩ1,0、ＭＳＩ1,1、．．．、ＭＳＩ1,14と、第２のＭＢＳＦＮエリア９０８のすべてのＰＭＣＨに関連するＭＳＩ2,0、ＭＳＩ2,1、．．．、ＭＳＩ2,14とを記憶し得る。第４の実施形態では、ＵＥは、利用可能なＭＢＳＦＮエリアのうちの１つまたは複数に関連するＭＳＩの任意のサブセットを記憶し得る。第１、第２、または第３の実施形態が実装される場合、ＵＥが第１のＭＢＳＦＮエリア９０６のＰＭＣＨ（１）に関連するＭＴＣＨ（０）９１６を受信することを判断したとき、ＵＥは、第１のＭＢＳＦＮエリア９０６のＰＭＣＨ（１）内の各ＭＴＣＨの停止フレームおよびサブフレームを取得するために、記憶されたＭＳＩにアクセスする。ＭＳＩに基づいて、ＵＥはＭＴＣＨ（０）９１６を受信することが可能である。ＵＥは、さもなければ、ＭＳＩ  ＭＡＣ制御要素を監視することによってＵＥがＭＳＩを取得した場合にＵＥがＭＴＣＨを受信していたであろうよりも速く／早くＭＴＣＨ（０）９１６を受信し得る。第２または第３の実施形態が実装される場合、ＵＥが第１のＭＢＳＦＮエリア９０６のＰＭＣＨ（１４）に関連するＭＴＣＨ（０）９１２を受信することを判断したとき、ＵＥは、第１のＭＢＳＦＮエリア９０６のＰＭＣＨ（１４）内の各ＭＴＣＨの停止フレームおよびサブフレームを取得するために、記憶されたＭＳＩにアクセスする。ＭＳＩに基づいて、ＵＥはＭＴＣＨ（０）９１２を受信することが可能である。ＵＥは、さもなければ、ＭＳＩ  ＭＡＣ制御要素を監視することによってＵＥがＭＳＩを取得した場合にＵＥがＭＴＣＨを受信していたであろうよりも速く／早くＭＴＣＨ（０）９１２を受信し得る。第３の実施形態が実装される場合、ＵＥが第２のＭＢＳＦＮエリア９０８のＰＭＣＨ（０）に関連するＭＴＣＨ（１）９１４を受信することを判断したとき、ＵＥは、第２のＭＢＳＦＮエリア９０８のＰＭＣＨ（０）内の各ＭＴＣＨの停止フレームおよびサブフレームを取得するために、記憶されたＭＳＩにアクセスする。ＭＳＩに基づいて、ＵＥはＭＴＣＨ（１）９１４を受信することが可能である。ＵＥは、さもなければ、ＭＳＩ  ＭＡＣ制御要素を監視することによってＵＥがＭＳＩを取得した場合にＵＥがＭＴＣＨを受信していたであろうよりも速く／早くＭＴＣＨ（１）９１４を受信し得る。１つまたは複数のＭＢＳＦＮエリアに関連する１つまたは複数のＰＭＣＨの各々のためのＭＳＩを記憶することによって、ＵＥは、ＭＴＣＨに切り替えるかまたはそれを追加したとき、ＭＴＣＨのためのＭＳＩを収集することを回避することによって時間を節約し得る。
【００４６】
[0062]図１０は、ワイヤレス通信の方法のフローチャート１０００である。本方法はＵＥによって実行され得る。図１０に示されているように、ステップ１００２において、ＵＥは第１のＭＴＣＨを受信する。ステップ１００４において、ＵＥは、少なくとも第２のＭＴＣＨのためのＭＢＭＳ制御情報を記憶する。ＭＢＭＳ制御情報は、少なくとも１つのＭＣＣＨ上で受信された構成情報および／またはＭＳＩを含み得る。少なくとも１つのＭＣＣＨの各々は異なるＭＢＳＦＮエリアに関連し得る。構成情報はＭＢＳＦＮエリア構成メッセージ中で搬送され得る。ＭＳＩは１つまたは複数のＰＭＣＨに関連し得る。たとえば、ＭＳＩは、第１のＭＴＣＨのためのＰＭＣＨに関連するか、第１のＭＴＣＨのためのＭＢＳＦＮエリアのためのＰＭＣＨに関連するか、またはすべてのＭＢＳＦＮエリアのためのすべてのＰＭＣＨに関連し得る。ステップ１００６において、ＵＥは、第２のＭＴＣＨを受信することを判断する。ステップ１００８において、ＵＥは、第２のＭＴＣＨを受信することを判断すると、第２のＭＴＣＨのための記憶されたＭＢＭＳ制御情報にアクセスする。ステップ１０１０において、ＵＥは、第２のＭＴＣＨを受信するという判断の後、第２のＭＴＣＨのための（対応するＭＢＳＦＮエリア構成メッセージとＭＳＩ  ＭＡＣ制御要素とを監視することによって）ＭＢＭＳ制御情報を収集することなしに、アクセスされたＭＢＭＳ制御情報に基づいて第２のＭＴＣＨを受信する。
【００４７】
[0063]たとえば、図９を参照すると、ＵＥはＭＴＣＨ（１）９１０を受信し得る。ＵＥは、第１のＭＢＳＦＮエリア９０６または第２のＭＢＳＦＮエリア９０８に関連するＭＴＣＨのうちのいずれか１つなど、少なくとも第２のＭＴＣＨのためのＭＢＭＳ制御情報を記憶し得る。ＵＥがＭＴＣＨ（０）９１６を受信することを判断すると仮定する。ＵＥがＭＢＳＦＮエリア構成メッセージ９０２またはＭＢＳＦＮエリア構成メッセージ９０２中の関連情報を記憶している場合、ＵＥは記憶されたＭＢＳＦＮエリア構成メッセージ９０２にアクセスする。ＵＥがＭＳＩ1,1を記憶している場合、ＵＥは記憶されたＭＳＩにアクセスする。ＵＥは、次いで、アクセスされたＭＢＳＦＮエリア構成メッセージ９０２とＭＳＩ1,1とに基づいてＭＴＣＨ（０）９１６を受信する。ＵＥがＭＴＣＨ（０）９１２を受信することを判断すると仮定する。ＵＥがＭＢＳＦＮエリア構成メッセージ９０２またはＭＢＳＦＮエリア構成メッセージ９０２中の関連情報を記憶している場合、ＵＥは記憶されたＭＢＳＦＮエリア構成メッセージ９０２にアクセスする。ＵＥが（たとえば、ＭＳＩ1,0、ＭＳＩ1,1、．．．、ＭＳＩ1,14、またはＭＳＩ1,14を含むＭＳＩのセットを記憶するプロセスを通して）ＭＳＩ1,14を記憶している場合、ＵＥは記憶されたＭＳＩにアクセスする。ＵＥは、次いで、アクセスされたＭＢＳＦＮエリア構成メッセージ９０２とＭＳＩ1,14とに基づいてＭＴＣＨ（０）９１２を受信する。ＵＥがＭＴＣＨ（１）９１４を受信することを判断すると仮定する。ＵＥがＭＢＳＦＮエリア構成メッセージ９０４またはＭＢＳＦＮエリア構成メッセージ９０４中の関連情報を記憶している場合、ＵＥは記憶されたＭＢＳＦＮエリア構成メッセージ９０４にアクセスする。ＵＥが（たとえば、ＭＳＩ1,0、ＭＳＩ1,1、．．．、ＭＳＩ1,14およびＭＳＩ2,0、ＭＳＩ2,1、．．．、ＭＳＩ2,14、またはＭＳＩ2,0を含むＭＳＩのセットを記憶するプロセスを通して）ＭＳＩ2,0を記憶している場合、ＵＥは記憶されたＭＳＩにアクセスする。ＵＥは、次いで、アクセスされたＭＢＳＦＮエリア構成メッセージ９０４とＭＳＩ2,0とに基づいてＭＴＣＨ（１）９１４を受信する。
【００４８】
[0064]図１１は、ワイヤレス通信の第２の方法のフローチャート１１００である。本方法はＵＥによって実行され得る。ステップ１１０２において、ＵＥは複数のＭＢＳＦＮエリアのためのＳＩＢを受信する。ステップ１１０４において、ＵＥは、ＳＩＢ中で識別された複数のＭＢＳＦＮエリアの各々のための構成情報を収集する。ステップ１１０４において、ＵＥは、少なくとも１つのＭＣＣＨの各々について各ＭＣＣＨ変更期間中に構成情報を正常に２回以上受信することを控える。ステップ１１０６において、ＵＥは、ＳＩＢ中で識別された複数のＭＢＳＦＮエリアの各々のための構成情報を記憶する。たとえば、図９を参照すると、ＵＥは、ＭＢＳＦＮエリア構成メッセージ９０２、９０４と、ＭＢＳＦＮエリア９０６、９０８のためのＰＭＣＨのうちの１つまたは複数に関連するＭＳＩとを記憶し得る。第２のＭＴＣＨを受信することを判断すると、ステップ１１０８において、ＵＥは、記憶された構成情報に基づいて、第２のＭＴＣＨのためのＰＭＣＨを示す情報を取得する。たとえば、図９を参照すると、ＭＴＣＨ（１）９１４を受信することを判断すると、ＵＥは、ＭＴＣＨ（１）９１４が第２のＭＢＳＦＮエリア９０８のＰＭＣＨ（０）を介して与えられることを示す記憶された構成情報に基づいて情報を取得し得る。ステップ１１１０において、ＵＥは、ＭＳＩがＰＭＣＨのために記憶されたかどうかを判断する。たとえば、図９を参照すると、ＵＥは、ＭＳＩ2,0が第２のＭＢＳＦＮエリア９０８のＰＭＣＨ（０）のために記憶されたかどうかを判断し得る。ＭＳＩがＰＭＣＨのために記憶されていないとき、ステップ１１１２において、ＵＥは、第２のＭＴＣＨのためのスケジューリング情報を取得するためにＰＭＣＨのためのＭＳＩを収集する。ＭＳＩがＰＭＣＨのために記憶されたとき、ステップ１１１４において、ＵＥは、第２のＭＴＣＨのためのスケジューリング情報を取得するためにＰＭＣＨのための記憶されたＭＳＩにアクセスする。
【００４９】
[0065]図１２は、ワイヤレス通信の第３の方法のフローチャート１２００である。本方法はＵＥによって実行され得る。ステップ１２０２において、ＵＥは、第１のＭＴＣＨのための第１のＰＭＣＨに関連するＭＳＩを収集する。ステップ１２０４において、ＵＥは収集されたＭＳＩを記憶する。ステップ１２０６において、ＵＥは、第２のＭＴＣＨに関連する第２のＰＭＣＨが第１のＰＭＣＨと同じであるかどうかを判断する。たとえば、ＵＥは、第１および第２のＰＭＣＨの識別情報を比較することによって、第２のＰＭＣＨが第１のＰＭＣＨと同じであるかどうかを判断し得る。識別情報が同じであるとき、ＵＥは、第１のＰＭＣＨと第２のＰＭＣＨが同じであると判断する。第２のＰＭＣＨと第１のＰＭＣＨが同じでないとき、ステップ１２０８において、ＵＥは、第２のＭＴＣＨのためのスケジューリング情報を取得するために第２のＰＭＣＨのためのＭＳＩを収集する。第２のＰＭＣＨと第１のＰＭＣＨが同じであるとき、ステップ１２１０において、ＵＥは、第２のＭＴＣＨのためのスケジューリング情報を取得するために第１のＰＭＣＨのための記憶されたＭＳＩにアクセスする。たとえば、図９を参照すると、ＵＥは、第１のＭＢＳＦＮエリア９０６のＭＴＣＨ（１）９１０のためのＰＭＣＨ（１）に関連するＭＳＩ1,1を収集し得る。ＵＥはＭＳＩ1,1またはＭＳＩ1,1中の情報を記憶し得る。その後、ＵＥは、ＭＴＣＨ（０）９１６を受信することを判断し得る。ＵＥは、次いで、ＭＴＣＨ（０）９１６に関連する第１のＭＢＳＦＮエリア９０６のＰＭＣＨ（１）が、ＭＴＣＨ（１）９１０に関連する第１のＭＢＳＦＮエリア９０６のＰＭＣＨ（１）と同じであるかどうかを判断し得る。ＰＭＣＨが同じであるので、ＵＥは、次いで、記憶されたＭＳＩ1,1またはＭＳＩ1,1の記憶された情報にアクセスし、アクセスされた情報に基づいてＭＴＣＨ（０）９１６のためのスケジューリング情報を取得し、取得されたスケジューリング情報を利用して、ＭＴＣＨ（０）９１６を受信する。別の例として、図９を参照すると、ＵＥは、第１のＭＢＳＦＮエリア９０６のＭＴＣＨ（１）９１０のためのＰＭＣＨ（１）に関連するＭＳＩ1,1を収集し得る。ＵＥはＭＳＩ1,1またはＭＳＩ1,1中の情報を記憶し得る。その後、ＵＥは、ＭＴＣＨ（０）９１２を受信することを判断し得る。ＵＥは、次いで、ＭＴＣＨ（０）９１２に関連する第１のＭＢＳＦＮエリア９０６のＰＭＣＨ（１４）が、ＭＴＣＨ（１）９１０に関連する第１のＭＢＳＦＮエリア９０６のＰＭＣＨ（１）と同じであるかどうかを判断し得る。ＰＭＣＨが同じでないので、ＵＥは、次いで、ＭＳＩ1,14を収集し、収集されたＭＳＩ1,14中で取得されたスケジューリング情報を利用して、ＭＴＣＨ（０）９１２を受信する。
【００５０】
[0066]図１３は、ワイヤレス通信の第４の方法のフローチャート１３００である。本方法はＵＥによって実行され得る。ステップ１３０２において、ＵＥは、ＵＥが現在受信しているＭＴＣＨのＭＢＳＦＮエリアに関連する各ＰＭＣＨのためのＭＳＩを収集する。たとえば、図９を参照すると、ＭＴＣＨ（１）９１０を受信するＵＥは、第１のＭＢＳＦＮエリア９０６に関連するＭＳＩ1,0、ＭＳＩ1,1、．．．、ＭＳＩ1,14を収集し得る。ステップ１３０４において、ＵＥは収集されたＭＳＩを記憶する。第２のＭＴＣＨを受信することを判断すると、ステップ１３０６において、ＵＥは、第２のＭＴＣＨが同じＭＢＳＦＮエリアに関連するかどうかを判断する。たとえば、図９を参照すると、ＭＴＣＨ（０）９１６を受信することを判断すると、ＵＥは、ＭＴＣＨ（０）９１６が第１のＭＢＳＦＮエリア９０６に関連するかどうかを判断し得る。第２のＭＴＣＨがＭＢＳＦＮエリアに無関連であるとき、ステップ１３０８において、ＵＥは、第２のＭＴＣＨのためのスケジューリング情報を取得するためにＭＳＩを収集する。たとえば、図９を参照すると、ＵＥがＭＴＣＨ（１）９１４を受信することを判断した場合、ＵＥはＭＳＩ2,0を前に記憶しなかったので、ＵＥは、ＭＴＣＨ（１）９１４のためのスケジューリング情報を取得するためにＭＳＩ2,0を収集する必要がある。第２のＭＴＣＨがＭＢＳＦＮエリアに関連し、それを介して受信されたとき、ステップ１３１０において、ＵＥは、第２のＭＴＣＨのためのスケジューリング情報を取得するために、記憶されたＭＳＩにアクセスする。たとえば、図９を参照すると、ＵＥがＭＴＣＨ（０）９１２を受信することを判断した場合、ＵＥはＭＳＩ1,14を前に記憶したので、ＵＥは、ＭＴＣＨ（０）９１２のためのスケジューリング情報を取得するためにＭＳＩ1,14の記憶されたＭＳＩ情報にアクセスすることができる。
【００５１】
[0067]図１４は、ワイヤレス通信の第５の方法のフローチャート１４００である。本方法はＵＥによって実行され得る。ステップ１４０２において、ＵＥは、複数のＭＢＳＦＮエリアの各々に関連する各ＰＭＣＨのためのＭＳＩを収集する。ステップ１４０４において、ＵＥは収集されたＭＳＩを記憶する。ＵＥが第２のＭＴＣＨを受信することを望むとき、ステップ１４０６において、ＵＥは、第２のＭＴＣＨのためのスケジューリング情報を取得するために、記憶されたＭＳＩにアクセスする。ＵＥは、取得されたスケジューリング情報に基づいて第２のＭＴＣＨを受信する。たとえば、図９を参照すると、ＵＥは、第１のＭＢＳＦＮエリア９０６のためのＭＳＩ1,0、ＭＳＩ1,1、．．．、ＭＳＩ1,14と、第２のＭＢＳＦＮエリア９０８のためのＭＳＩ2,0、ＭＳＩ2,1、．．．、ＭＳＩ2,14とを収集する。ＵＥは収集されたＭＳＩを記憶する。ＵＥが異なるＭＴＣＨを受信することを望むとき、ＵＥは、そのＭＴＣＨのためのスケジューリング情報を取得するために、記憶されたＭＳＩにアクセスする。
【００５２】
[0068]ＭＢＳＦＮエリア構成メッセージ中に含まれる情報などのＭＢＭＳ制御情報と、ＵＥが現在受信していないＭＴＣＨに関連するＭＳＩとを記憶することによって、ＵＥは、ＭＣＣＨからのＭＢＭＳ制御情報とＭＳＩ  ＭＡＣ制御要素とを収集するのを待つのではなく、異なるＭＴＣＨに切り替えるかまたはそれを追加すると直ちに、記憶されたＭＢＭＳ制御情報にアクセスすることが可能である。したがって、提供された方法は、ＭＢＭＳ制御情報を収集するための時間を低減し、したがってチャネル切替え／追加遅延を低減し得る。
【００５３】
[0069]図１５は、例示的な装置１５０２中の異なるモジュール／手段／構成要素間のデータフローを示す概念データフロー図１５００である。本装置はＵＥであり得る。本装置は、ｅＮＢ１５５０から第１のＭＴＣＨを受信するように構成された受信モジュール１５０６を含む。本装置は、少なくとも第２のＭＴＣＨのためのＭＢＭＳ制御情報を記憶するように構成されたＭＳＩ記憶モジュール１５１０および／またはＭＢＳＦＮエリア構成メッセージ記憶モジュール１５１２をさらに含む。ＭＢＭＳ制御情報はｅＮＢ１５５０から受信される。本装置は、ｅＮＢ１５５０から第２のＭＴＣＨを受信することを判断するように構成されたＭＢＭＳ制御モジュール１５０４をさらに含む。ＭＢＭＳ制御モジュール１５０４は、第２のＭＴＣＨを受信することを判断すると、第２のＭＴＣＨのための記憶されたＭＢＭＳ制御情報にアクセスするように構成される。受信モジュール１５０６は、第２のＭＴＣＨを受信するという判断の後、第２のＭＴＣＨのためのＭＢＭＳ制御情報を収集することなしに、アクセスされたＭＢＭＳ制御情報に基づいて第２のＭＴＣＨを受信するように構成される。
【００５４】
[0070]ＭＢＭＳ制御情報は、少なくとも１つのＭＣＣＨに関する構成情報またはＭＳＩのうちの少なくとも１つを含み得る。少なくとも１つのＭＣＣＨの各々は異なるＭＢＳＦＮエリアに関連し得る。構成情報はＭＢＳＦＮエリア構成メッセージ中で搬送され得る。ＭＢＭＳ制御情報は少なくとも１つのＭＣＣＨに関する構成情報を含み得る。受信モジュール１５０６は、複数のＭＢＳＦＮエリアのためのＳＩＢを受信するようにさらに構成され得る。ＭＢＭＳ制御モジュール１５０４は、ＳＩＢ中で識別された複数のＭＢＳＦＮエリアの各々のための構成情報を収集することを受信モジュール１５０６に要求するために受信モジュール１５０６と通信するようにさらに構成され得る。少なくとも１つのＭＣＣＨは、ＳＩＢ中で識別された複数のＭＢＳＦＮエリアの各々のためのＭＣＣＨを含み得、ＳＩＢ中で識別された複数のＭＢＳＦＮエリアの各々のための構成情報は記憶され得る。ＭＢＭＳ制御モジュール１５０４は、アクセスされた構成情報に基づいて、第２のＭＴＣＨのためのＰＭＣＨを示す情報を取得するように構成され得る。ＭＢＭＳ制御モジュール１５０４は、ＭＳＩがＰＭＣＨのために記憶されたかどうかを判断するように構成され得る。ＭＢＭＳ制御モジュール１５０４は、ＭＳＩがＰＭＣＨのために記憶されていないとき、第２のＭＴＣＨのためのスケジューリング情報を取得するためにＰＭＣＨのためのＭＳＩを収集することを受信モジュール１５０６に要求するために受信モジュール１５０６と通信するようにさらに構成され得る。ＭＢＭＳ制御モジュール１５０４は、ＭＳＩがＰＭＣＨのために記憶されたとき、第２のＭＴＣＨのためのスケジューリング情報を取得するためにＰＭＣＨのためのＭＳＩにアクセスするためにＭＢＳＦＮエリア構成メッセージ記憶モジュール１５１２および／またはＭＳＩ記憶モジュール１５１０と通信するようにさらに構成され得る。第２のＭＴＣＨは、取得されたスケジューリング情報に基づいて受信され得る。受信モジュール１５０６は、少なくとも１つのＭＣＣＨの各々について各ＭＣＣＨ変更期間中に構成情報を正常に２回以上受信することを控えるように構成され得る。
【００５５】
[0071]ＭＢＭＳ制御情報は、ＭＳＩ  ＭＡＣ制御要素中で搬送されるＭＳＩを含み得る。ＭＢＭＳ制御モジュール１５０４は、第１のＭＴＣＨのための第１のＰＭＣＨに関連するＭＳＩを収集することを受信モジュール１５０６に要求するために受信モジュール１５０６と通信するように構成され得る。ＭＳＩ記憶モジュール１５１０は、収集されたＭＳＩを記憶するように構成され得る。ＭＢＭＳ制御モジュール１５０４は、第２のＭＴＣＨに関連する第２のＰＭＣＨが第１のＰＭＣＨと同じであるかどうかを判断するように構成され得る。ＭＢＭＳ制御モジュール１５０４は、第２のＰＭＣＨと第１のＰＭＣＨが同じでないとき、第２のＭＴＣＨのためのスケジューリング情報を取得するために第２のＰＭＣＨのためのＭＳＩを収集することを受信モジュール１５０６に要求するために受信モジュール１５０６と通信するように構成され得る。第１のＰＭＣＨのための記憶されたＭＳＩは、第２のＰＭＣＨと第１のＰＭＣＨが同じであるとき、第２のＭＴＣＨのためのスケジューリング情報を取得するためにアクセスされ得、第２のＭＴＣＨは、取得されたスケジューリング情報に基づいて受信され得る。
【００５６】
[0072]第１のＭＴＣＨはＭＢＳＦＮエリアを介して受信され得る。ＭＢＭＳ制御モジュール１５０４は、ＭＢＳＦＮエリアに関連する各ＰＭＣＨのためのＭＳＩを収集することを受信モジュール１５０６に要求するために受信モジュール１５０６と通信するように構成され得る。ＭＳＩ記憶モジュールは、収集されたＭＳＩを記憶するように構成され得る。ＭＢＭＳ制御モジュール１５０４は、第２のＭＴＣＨがＭＢＳＦＮエリアに関連するかどうかを判断するように構成され得る。ＭＢＭＳ制御モジュール１５０４は、第２のＭＴＣＨがＭＢＳＦＮエリアに無関連であるとき、第２のＭＴＣＨのためのスケジューリング情報を取得するためにＭＳＩを収集することを受信モジュール１５０６に要求するために受信モジュール１５０６と通信するように構成され得る。記憶されたＭＳＩは、第２のＭＴＣＨがＭＢＳＦＮエリアに関連し、それを介して受信されたとき、第２のＭＴＣＨのためのスケジューリング情報を取得するためにアクセスされ得、第２のＭＴＣＨは、取得されたスケジューリング情報に基づいて受信され得る。ＭＢＭＳ制御モジュール１５０４は、複数のＭＢＳＦＮエリアの各々に関連する各ＰＭＣＨのためのＭＳＩを収集することを受信モジュール１５０６に要求するために受信モジュール１５０６と通信するようにさらに構成され得る。収集されたＭＳＩは記憶され得、記憶されたＭＳＩは、第２のＭＴＣＨのためのスケジューリング情報を取得するためにアクセスされ得、第２のＭＴＣＨは、取得されたスケジューリング情報に基づいて受信され得る。
【００５７】
[0073]本装置は、図１０〜図１４の上述のフローチャート中のアルゴリズムのステップの各々を実行する追加のモジュールを含み得る。したがって、図１０〜図１４の上述のフローチャート中の各ステップは１つのモジュールによって実行され得、本装置は、それらのモジュールのうちの１つまたは複数を含み得る。それらのモジュールは、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【００５８】
[0074]図１６は、処理システム１６１４を採用する装置１５０２’のためのハードウェア実装形態の一例を示す図１６００である。処理システム１６１４は、バス１６２４によって概略的に表されるバスアーキテクチャを用いて実装され得る。バス１６２４は、処理システム１６１４の特定の適用例および全体的な設計制約に応じて、任意の数の相互接続バスおよびブリッジを含み得る。バス１６２４は、プロセッサ１６０４、モジュール１５０４、１５０６、１５０８、１５１０、１５１２、およびコンピュータ可読媒体１６０６によって表される１つまたは複数のプロセッサおよび／またはハードウェアモジュールを含む様々な回路を互いにリンクする。バス１６２４はまた、タイミングソース、周辺機器、電圧調整器、および電力管理回路など、様々な他の回路をリンクし得るが、これらの回路は当技術分野においてよく知られており、したがって、これ以上説明しない。
【００５９】
[0075]処理システム１６１４はトランシーバ１６１０に結合され得る。トランシーバ１６１０は１つまたは複数のアンテナ１６２０に結合される。トランシーバ１６１０は、伝送媒体を介して様々な他の装置と通信するための手段を与える。トランシーバ１６１０は、１つまたは複数のアンテナ１６２０から信号を受信し、受信した信号から情報を抽出し、抽出された情報を処理システム１６１４、特に受信モジュール１５０６に与える。さらに、トランシーバ１６１０は、処理システム１６１４から情報を受信し、受信した情報に基づいて、１つまたは複数のアンテナ１６２０に適用されるべき信号を生成する。処理システム１６１４は、コンピュータ可読媒体１６０６に結合されたプロセッサ１６０４を含む。プロセッサ１６０４は、コンピュータ可読媒体１６０６に記憶されたソフトウェアの実行を含む一般的な処理を担当する。ソフトウェアは、プロセッサ１６０４によって実行されたとき、処理システム１６１４に、任意の特定の装置のための上記で説明した様々な機能を実行させる。コンピュータ可読媒体１６０６はまた、ソフトウェアを実行するときにプロセッサ１６０４によって操作されるデータを記憶するために使用され得る。処理システムは、モジュール１５０４、１５０６、１５０８、１５１０、および１５１２のうちの少なくとも１つをさらに含む。それらのモジュールは、プロセッサ１６０４中で動作するか、コンピュータ可読媒体１６０６中に常駐する／記憶されたソフトウェアモジュールであるか、プロセッサ１６０４に結合された１つまたは複数のハードウェアモジュールであるか、またはそれらの何らかの組合せであり得る。処理システム１６１４は、ＵＥ６５０の構成要素であり得、メモリ６６０、および／またはＴＸプロセッサ６６８と、ＲＸプロセッサ６５６と、コントローラ／プロセッサ６５９とのうちの少なくとも１つを含み得る。
【００６０】
[0076]一構成では、ワイヤレス通信のための装置１５０２／１５０２’は、第１のＭＴＣＨを受信するための手段と、少なくとも第２のＭＴＣＨのためのＭＢＭＳ制御情報を記憶するための手段と、第２のＭＴＣＨを受信することを判断するための手段と、第２のＭＴＣＨを受信することを判断すると、第２のＭＴＣＨのための記憶されたＭＢＭＳ制御情報にアクセスするための手段と、第２のＭＴＣＨを受信するという判断の後、第２のＭＴＣＨのためのＭＢＭＳ制御情報を収集することなしに、アクセスされたＭＢＭＳ制御情報に基づいて第２のＭＴＣＨを受信するための手段とを含む。ＭＢＭＳ制御情報は、少なくとも１つのＭＣＣＨに関する構成情報またはＭＳＩのうちの少なくとも１つを含み得る。少なくとも１つのＭＣＣＨの各々は異なるＭＢＳＦＮエリアに関連し得る。構成情報はＭＢＳＦＮエリア構成メッセージ中で搬送され得る。ＭＢＭＳ制御情報は少なくとも１つのＭＣＣＨに関する構成情報を含み得る。本装置は、複数のＭＢＳＦＮエリアのためのＳＩＢを受信するための手段と、ＳＩＢ中で識別された複数のＭＢＳＦＮエリアの各々のための構成情報を収集するための手段とをさらに含み得る。少なくとも１つのＭＣＣＨは、ＳＩＢ中で識別された複数のＭＢＳＦＮエリアの各々のためのＭＣＣＨを含み得、ＳＩＢ中で識別された複数のＭＢＳＦＮエリアの各々のための構成情報は記憶され得る。本装置は、アクセスされた構成情報に基づいて、第２のＭＴＣＨのためのＰＭＣＨを示す情報を取得するための手段と、ＭＳＩがＰＭＣＨのために記憶されたかどうかを判断するための手段と、ＭＳＩがＰＭＣＨのために記憶されていないとき、第２のＭＴＣＨのためのスケジューリング情報を取得するためにＰＭＣＨのためのＭＳＩを収集するための手段と、ＭＳＩがＰＭＣＨのために記憶されたとき、第２のＭＴＣＨのためのスケジューリング情報を取得するためにＰＭＣＨのためのＭＳＩにアクセスするための手段とをさらに含み得る。第２のＭＴＣＨは、取得されたスケジューリング情報に基づいて受信され得る。本装置は、少なくとも１つのＭＣＣＨの各々について各ＭＣＣＨ変更期間中に構成情報を正常に２回以上受信することを控えるための手段をさらに含み得る。ＭＢＭＳ制御情報は、ＭＳＩ  ＭＡＣ制御要素中で搬送されるＭＳＩを含み得る。本装置は、第１のＭＴＣＨのための第１のＰＭＣＨに関連するＭＳＩを収集するための手段と、収集されたＭＳＩを記憶するための手段と、第２のＭＴＣＨに関連する第２のＰＭＣＨが第１のＰＭＣＨと同じであるかどうかを判断するための手段と、第２のＰＭＣＨと第１のＰＭＣＨが同じでないとき、第２のＭＴＣＨのためのスケジューリング情報を取得するために第２のＰＭＣＨのためのＭＳＩを収集するための手段とをさらに含み得る。第１のＰＭＣＨのための記憶されたＭＳＩは、第２のＰＭＣＨと第１のＰＭＣＨが同じであるとき、第２のＭＴＣＨのためのスケジューリング情報を取得するためにアクセスされ得、第２のＭＴＣＨは、取得されたスケジューリング情報に基づいて受信され得る。第１のＭＴＣＨはＭＢＳＦＮエリアを介して受信され得、本装置は、ＭＢＳＦＮエリアに関連する各ＰＭＣＨのためのＭＳＩを収集するための手段���、収集されたＭＳＩを記憶するための手段と、第２のＭＴＣＨがＭＢＳＦＮエリアに関連するかどうかを判断するための手段と、第２のＭＴＣＨがＭＢＳＦＮエリアに無関連であるとき、第２のＭＴＣＨのためのスケジューリング情報を取得するためにＭＳＩを収集するための手段とをさらに含み得る。記憶されたＭＳＩは、第２のＭＴＣＨがＭＢＳＦＮエリアに関連し、それを介して受信されたとき、第２のＭＴＣＨのためのスケジューリング情報を取得するためにアクセスされ得、第２のＭＴＣＨは、取得されたスケジューリング情報に基づいて受信される。本装置は、複数のＭＢＳＦＮエリアの各々に関連する各ＰＭＣＨのためのＭＳＩを収集するための手段をさらに含み得る。収集されたＭＳＩは記憶され得、記憶されたＭＳＩは、第２のＭＴＣＨのためのスケジューリング情報を取得するためにアクセスされ得、第２のＭＴＣＨは、取得されたスケジューリング情報に基づいて受信され得る。
【００６１】
[0077]上述の手段は、上述の手段によって具陳される（recited）機能を実行するように構成された、装置１５０２、および／または装置１５０２’の処理システム１６１４の上述のモジュールのうちの１つまたは複数であり得る。上記で説明したように、処理システム１６１４は、ＴＸプロセッサ６６８と、ＲＸプロセッサ６５６と、コントローラ／プロセッサ６５９とを含み得る。したがって、一構成では、上述の手段は、上述の手段によって具陳される機能を実行するように構成された、ＴＸプロセッサ６６８と、ＲＸプロセッサ６５６と、コントローラ／プロセッサ６５９とであり得る。
【００６２】
[0078]開示したプロセス中のステップの特定の順序または階層は、例示的な手法の一例であることを理解されたい。設計上の選好に基づいて、プロセス中のステップの特定の順序または階層は再構成され得ることを理解されたい。さらに、いくつかのステップは組み合わせられるかまたは省略され得る。添付の方法クレームは、様々なステップの要素を例示的な順序で提示したものであり、提示された特定の順序または階層に限定されるものではない。
【００６３】
[0079]以上の説明は、当業者が本明細書で説明した様々な態様を実行できるようにするために提供したものである。これらの態様に対する様々な変更は当業者には容易に明らかであり、本明細書で定義した一般的原理は他の態様に適用され得る。したがって、特許請求の範囲は、本明細書に示された態様に限定されるものではなく、特許請求の範囲の言い回しに矛盾しない全範囲を与えられるべきであり、単数形の要素への言及は、そのように明記されていない限り、「唯一無二の」を意味するものではなく、「１つまたは複数の」を意味するものである。別段に明記されていない限り、「いくつかの」という用語は「１つまたは複数の」を指す。当業者に知られている、または後に知られることになる、本開示全体にわたって説明した様々な態様の要素のすべての構造的および機能的均等物は、参照により本明細書に明確に組み込まれ、特許請求の範囲に包含されるものである。さらに、本明細書に開示したいかなることも、そのような開示が特許請求の範囲に明示的に具陳されているかどうかにかかわらず、公に供するものではない。いかなるクレーム要素も、その要素が「のための手段」という語句を使用して明確に具陳されていない限り、ミーンズプラスファンクションとして解釈されるべきではない。
以下に、本願出願の当初の特許請求の範囲に記載された発明を付記する。
［Ｃ１］
第１のマルチキャストトラフィックチャネル（ＭＴＣＨ）を受信することと、
少なくとも第２のＭＴＣＨのためのマルチメディアブロードキャストマルチキャストサービス（ＭＢＭＳ）制御情報を記憶することと、
前記第２のＭＴＣＨを受信することを判断することと、
前記第２のＭＴＣＨを受信することを判断すると、前記第２のＭＴＣＨのための前記記憶されたＭＢＭＳ制御情報にアクセスすることと、
前記第２のＭＴＣＨを受信するという前記判断の後、前記第２のＭＴＣＨのための前記ＭＢＭＳ制御情報を収集することなしに、前記アクセスされたＭＢＭＳ制御情報に基づいて前記第２のＭＴＣＨを受信することと
を備える、ワイヤレス通信の方法。
［Ｃ２］
前記ＭＢＭＳ制御情報が、少なくとも１つのマルチキャスト制御チャネル（ＭＣＣＨ）に関する構成情報またはマルチキャストチャネル（ＭＣＨ）スケジューリング情報（ＭＳＩ）のうちの少なくとも１つを備え、前記少なくとも１つのＭＣＣＨの各々が異なるマルチキャストブロードキャスト単一周波数ネットワーク（ＭＢＳＦＮ）エリアに関連する、Ｃ１に記載の方法。
［Ｃ３］
前記構成情報がマルチキャストブロードキャスト単一周波数ネットワーク（ＭＢＳＦＮ）エリア構成メッセージ中で搬送される、Ｃ２に記載の方法。
［Ｃ４］
前記ＭＢＭＳ制御情報が前記少なくとも１つのＭＣＣＨに関する前記構成情報を備える、Ｃ２に記載の方法。
［Ｃ５］
複数のＭＢＳＦＮエリアのためのシステム情報ブロック（ＳＩＢ）を受信することと、
前記ＳＩＢ中で識別された前記複数のＭＢＳＦＮエリアの各々のための前記構成情報を収集することと
をさらに備え、
ここにおいて前記少なくとも１つのＭＣＣＨが、前記ＳＩＢ中で識別された前記複数のＭＢＳＦＮエリアの各々のためのＭＣＣＨを備え、前記ＳＩＢ中で識別された前記複数のＭＢＳＦＮエリアの各々のための前記構成情報が記憶される、Ｃ４に記載の方法。
［Ｃ６］
前記アクセスされた構成情報に基づいて、前記第２のＭＴＣＨのための物理マルチキャストチャネル（ＰＭＣＨ）を示す情報を取得することと、
ＭＳＩが前記ＰＭＣＨのために記憶されたかどうかを判断することと、
前記ＭＳＩが前記ＰＭＣＨのために記憶されていないとき、前記第２のＭＴＣＨのためのスケジューリング情報を取得するために前記ＰＭＣＨのための前記ＭＳＩを収集することと、
前記ＭＳＩが前記ＰＭＣＨのために記憶されたとき、前記第２のＭＴＣＨのためのスケジューリング情報を取得するために前記ＰＭＣＨのための前記ＭＳＩにアクセスすることと
をさらに備え、
ここにおいて前記第２のＭＴＣＨが、前記取得されたスケジューリング情報に基づいて受信される、Ｃ４に記載の方法。
［Ｃ７］
前記少なくとも１つのＭＣＣＨの各々について各ＭＣＣＨ変更期間中に前記構成情報を正常に２回以上受信することを控えることをさらに備える、Ｃ４に記載の方法。
［Ｃ８］
前記ＭＢＭＳ制御情報が、ＭＳＩメディアアクセス制御（ＭＡＣ）制御要素中で搬送される前記ＭＳＩを備える、Ｃ２に記載の方法。
［Ｃ９］
前記第１のＭＴＣＨのための第１の物理マルチキャストチャネル（ＰＭＣＨ）に関連するＭＳＩを収集することと、
前記収集されたＭＳＩを記憶することと、
前記第２のＭＴＣＨに関連する第２のＰＭＣＨが前記第１のＰＭＣＨと同じであるかどうかを判断することと、
前記第２のＰＭＣＨと前記第１のＰＭＣＨが同じでないとき、前記第２のＭＴＣＨのためのスケジューリング情報を取得するために前記第２のＰＭＣＨのためのＭＳＩを収集することと
をさらに備え、
前記第１のＰＭＣＨのための前記記憶されたＭＳＩは、前記第２のＰＭＣＨと前記第１のＰＭＣＨが同じであるとき、前記第２のＭＴＣＨのためのスケジューリング情報を取得するためにアクセスされ、前記第２のＭＴＣＨが、前記取得されたスケジューリング情報に基づいて受信される、Ｃ８に記載の方法。
［Ｃ１０］
前記第１のＭＴＣＨがＭＢＳＦＮエリアを介して受信され、前記方法は、
前記ＭＢＳＦＮエリアに関連する各物理マルチキャストチャネル（ＰＭＣＨ）のためのＭＳＩを収集することと、
前記収集されたＭＳＩを記憶することと、
前記第２のＭＴＣＨが前記ＭＢＳＦＮエリアに関連するかどうかを判断することと、
前記第２のＭＴＣＨが前記ＭＢＳＦＮエリアに無関連であるとき、前記第２のＭＴＣＨのためのスケジューリング情報を取得するためにＭＳＩを収集することと
をさらに備え、
前記記憶されたＭＳＩは、前記第２のＭＴＣＨが前記ＭＢＳＦＮエリアに関連し、それを介して受信されたとき、前記第２のＭＴＣＨのためのスケジューリング情報を取得するためにアクセスされ、前記第２のＭＴＣＨが、前記取得されたスケジューリング情報に基づいて受信される、Ｃ８に記載の方法。
［Ｃ１１］
複数のＭＢＳＦＮエリアの各々に関連する各物理マルチキャストチャネル（ＰＭＣＨ）のためのＭＳＩを収集することをさらに備え、前記収集されたＭＳＩが記憶され、前記記憶されたＭＳＩが、前記第２のＭＴＣＨのためのスケジューリング情報を取得するためにアクセスされ、前記第２のＭＴＣＨが、前記取得されたスケジューリング情報に基づいて受信される、Ｃ８に記載の方法。
［Ｃ１２］
第１のマルチキャストトラフィックチャネル（ＭＴＣＨ）を受信するための手段と、
少なくとも第２のＭＴＣＨのためのマルチメディアブロードキャストマルチキャストサービス（ＭＢＭＳ）制御情報を記憶するための手段と、
前記第２のＭＴＣＨを受信することを判断するための手段と、
前記第２のＭＴＣＨを受信することを判断すると、前記第２のＭＴＣＨのための前記記憶されたＭＢＭＳ制御情報にアクセスするための手段と、
前記第２のＭＴＣＨを受信するという前記判断の後、前記第２のＭＴＣＨのための前記ＭＢＭＳ制御情報を収集することなしに、前記アクセスされたＭＢＭＳ制御情報に基づいて前記第２のＭＴＣＨを受信するための手段と
を備える、ワイヤレス通信のための装置。
［Ｃ１３］
前記ＭＢＭＳ制御情報が、少なくとも１つのマルチキャスト制御チャネル（ＭＣＣＨ）に関する構成情報またはマルチキャストチャネル（ＭＣＨ）スケジューリング情報（ＭＳＩ）のうちの少なくとも１つを備え、前記少なくとも１つのＭＣＣＨの各々が異なるマルチキャストブロードキャスト単一周波数ネットワーク（ＭＢＳＦＮ）エリアに関連する、Ｃ１２に記載の装置。
［Ｃ１４］
前記構成情報がマルチキャストブロードキャスト単一周波数ネットワーク（ＭＢＳＦＮ）エリア構成メッセージ中で搬送される、Ｃ１３に記載の装置。
［Ｃ１５］
前記ＭＢＭＳ制御情報が前記少なくとも１つのＭＣＣＨに関する前記構成情報を備える、Ｃ１３に記載の装置。
［Ｃ１６］
複数のＭＢＳＦＮエリアのためのシステム情報ブロック（ＳＩＢ）を受信するための手段と、
前記ＳＩＢ中で識別された前記複数のＭＢＳＦＮエリアの各々のための前記構成情報を収集するための手段と
をさらに備え、
前記少なくとも１つのＭＣＣＨが、前記ＳＩＢ中で識別された前記複数のＭＢＳＦＮエリアの各々のためのＭＣＣＨを備え、前記ＳＩＢ中で識別された前記複数のＭＢＳＦＮエリアの各々のための前記構成情報が記憶される、Ｃ１５に記載の装置。
［Ｃ１７］
前記アクセスされた構成情報に基づいて、前記第２のＭＴＣＨのための物理マルチキャストチャネル（ＰＭＣＨ）を示す情報を取得するための手段と、
ＭＳＩが前記ＰＭＣＨのために記憶されたかどうかを判断するための手段と、
前記ＭＳＩが前記ＰＭＣＨのために記憶されていないとき、前記第２のＭＴＣＨのためのスケジューリング情報を取得するために前記ＰＭＣＨのための前記ＭＳＩを収集するための手段と、
前記ＭＳＩが前記ＰＭＣＨのために記憶されたとき、前記第２のＭＴＣＨのためのスケジューリング情報を取得するために前記ＰＭＣＨのための前記ＭＳＩにアクセスするための手段と
をさらに備え、
前記第２のＭＴＣＨが、前記取得されたスケジューリング情報に基づいて受信される、Ｃ１５に記載の装置。
［Ｃ１８］
前記少なくとも１つのＭＣＣＨの各々について各ＭＣＣＨ変更期間中に前記構成情報を正常に２回以上受信することを控えるための手段をさらに備える、Ｃ１５に記載の装置。
［Ｃ１９］
前記ＭＢＭＳ制御情報が、ＭＳＩメディアアクセス制御（ＭＡＣ）制御要素中で搬送される前記ＭＳＩを備える、Ｃ１３に記載の装置。
［Ｃ２０］
前記第１のＭＴＣＨのための第１の物理マルチキャストチャネル（ＰＭＣＨ）に関連するＭＳＩを収集するための手段と、
前記収集されたＭＳＩを記憶するための手段と、
前記第２のＭＴＣＨに関連する第２のＰＭＣＨが前記第１のＰＭＣＨと同じであるかどうかを判断するための手段と、
前記第２のＰＭＣＨと前記第１のＰＭＣＨが同じでないとき、前記第２のＭＴＣＨのためのスケジューリング情報を取得するために前記第２のＰＭＣＨのためのＭＳＩを収集するための手段と
をさらに備え、
前記第１のＰＭＣＨのための前記記憶されたＭＳＩは、前記第２のＰＭＣＨと前記第１のＰＭＣＨが同じであるとき、前記第２のＭＴＣＨのためのスケジューリング情報を取得するためにアクセスされ、前記第２のＭＴＣＨが、前記取得されたスケジューリング情報に基づいて受信される、Ｃ１９に記載の装置。
［Ｃ２１］
前記第１のＭＴＣＨがＭＢＳＦＮエリアを介して受信され、前記装置は、
前記ＭＢＳＦＮエリアに関連する各物理マルチキャストチャネル（ＰＭＣＨ）のためのＭＳＩを収集するための手段と、
前記収集されたＭＳＩを記憶するための手段と、
前記第２のＭＴＣＨが前記ＭＢＳＦＮエリアに関連するかどうかを判断するための手段と、
前記第２のＭＴＣＨが前記ＭＢＳＦＮエリアに無関連であるとき、前記第２のＭＴＣＨのためのスケジューリング情報を取得するためにＭＳＩを収集するための手段と
をさらに備え、
前記記憶されたＭＳＩは、前記第２のＭＴＣＨが前記ＭＢＳＦＮエリアに関連し、それを介して受信されたとき、前記第２のＭＴＣＨのためのスケジューリング情報を取得するためにアクセスされ、前記第２のＭＴＣＨが、前記取得されたスケジューリング情報に基づいて受信される、Ｃ１９に記載の装置。
［Ｃ２２］
複数のＭＢＳＦＮエリアの各々に関連する各物理マルチキャストチャネル（ＰＭＣＨ）のためのＭＳＩを収集するための手段をさらに備え、前記収集されたＭＳＩが記憶され、前記記憶されたＭＳＩが、前記第２のＭＴＣＨのためのスケジューリング情報を取得するためにアクセスされ、前記第２のＭＴＣＨが、前記取得されたスケジューリング情報に基づいて受信される、Ｃ１９に記載の装置。
［Ｃ２３］
ワイヤレス通信の装置であって、
第１のマルチキャストトラフィックチャネル（ＭＴＣＨ）を受信することと、
少なくとも第２のＭＴＣＨのためのマルチメディアブロードキャストマルチキャストサービス（ＭＢＭＳ）制御情報を記憶することと、
前記第２のＭＴＣＨを受信することを判断することと、
前記第２のＭＴＣＨを受信することを判断すると、前記第２のＭＴＣＨのための前記記憶されたＭＢＭＳ制御情報にアクセスすることと、
前記第２のＭＴＣＨを受信するという前記判断の後、前記第２のＭＴＣＨのための前記ＭＢＭＳ制御情報を収集することなしに、前記アクセスされたＭＢＭＳ制御情報に基づいて前記第２のＭＴＣＨを受信することと
を行うように構成された処理システム
を備える、装置。
［Ｃ２４］
前記ＭＢＭＳ制御情報が、少なくとも１つのマルチキャスト制御チャネル（ＭＣＣＨ）に関する構成情報またはマルチキャストチャネル（ＭＣＨ）スケジューリング情報（ＭＳＩ）のうちの少なくとも１つを備え、前記少なくとも１つのＭＣＣＨの各々が異なるマルチキャストブロードキャスト単一周波数ネットワーク（ＭＢＳＦＮ）エリアに関連する、Ｃ２３に記載の装置。
［Ｃ２５］
前記構成情報がマルチキャストブロードキャスト単一周波数ネットワーク（ＭＢＳＦＮ）エリア構成メッセージ中で搬送される、Ｃ２４に記載の装置。
［Ｃ２６］
前記ＭＢＭＳ制御情報が前記少なくとも１つのＭＣＣＨに関する前記構成情報を備える、Ｃ２４に記載の装置。
［Ｃ２７］
前記処理システムは、
複数のＭＢＳＦＮエリアのためのシステム情報ブロック（ＳＩＢ）を受信することと、
前記ＳＩＢ中で識別された前記複数のＭＢＳＦＮエリアの各々のための前記構成情報を収集することと
を行うようにさらに構成され、
前記少なくとも１つのＭＣＣＨが、前記ＳＩＢ中で識別された前記複数のＭＢＳＦＮエリアの各々のためのＭＣＣＨを備え、前記ＳＩＢ中で識別された前記複数のＭＢＳＦＮエリアの各々のための前記構成情報が記憶される、Ｃ２６に記載の装置。
［Ｃ２８］
前記処理システムは、
前記アクセスされた構成情報に基づいて、前記第２のＭＴＣＨのための物理マルチキャストチャネル（ＰＭＣＨ）を示す情報を取得することと、
ＭＳＩが前記ＰＭＣＨのために記憶されたかどうかを判断することと、
前記ＭＳＩが前記ＰＭＣＨのために記憶されていないとき、前記第２のＭＴＣＨのためのスケジューリング情報を取得するために前記ＰＭＣＨのための前記ＭＳＩを収集することと、
前記ＭＳＩが前記ＰＭＣＨのために記憶されたとき、前記第２のＭＴＣＨのためのスケジューリング情報を取得するために前記ＰＭＣＨのための前記ＭＳＩにアクセスすることと
を行うようにさらに構成され、
前記第２のＭＴＣＨが、前記取得されたスケジューリング情報に基づいて受信される、Ｃ２６に記載の装置。
［Ｃ２９］
前記処理システムが、前記少なくとも１つのＭＣＣＨの各々について各ＭＣＣＨ変更期間中に前記構成情報を正常に２回以上受信することを控えることを行うようにさらに構成された、Ｃ２６に記載の装置。
［Ｃ３０］
前記ＭＢＭＳ制御情報が、ＭＳＩメディアアクセス制御（ＭＡＣ）制御要素中で搬送される前記ＭＳＩを備える、Ｃ２４に記載の装置。
［Ｃ３１］
前記処理システムは、
前記第１のＭＴＣＨのための第１の物理マルチキャストチャネル（ＰＭＣＨ）に関連するＭＳＩを収集することと、
前記収集されたＭＳＩを記憶することと、
前記第２のＭＴＣＨに関連する第２のＰＭＣＨが前記第１のＰＭＣＨと同じであるかどうかを判断することと、
前記第２のＰＭＣＨと前記第１のＰＭＣＨが同じでないとき、前記第２のＭＴＣＨのためのスケジューリング情報を取得するために前記第２のＰＭＣＨのためのＭＳＩを収集することと
を行うようにさらに構成され、
前記第１のＰＭＣＨのための前記記憶されたＭＳＩは、前記第２のＰＭＣＨと前記第１のＰＭＣＨが同じであるとき、前記第２のＭＴＣＨのためのスケジューリング情報を取得するためにアクセスされ、前記第２のＭＴＣＨが、前記取得されたスケジューリング情報に基づいて受信される、Ｃ３０に記載の装置。
［Ｃ３２］
前記第１のＭＴＣＨがＭＢＳＦＮエリアを介して受信され、前記処理システムは、
前記ＭＢＳＦＮエリアに関連する各物理マルチキャストチャネル（ＰＭＣＨ）のためのＭＳＩを収集することと、
前記収集されたＭＳＩを記憶することと、
前記第２のＭＴＣＨが前記ＭＢＳＦＮエリアに関連するかどうかを判断することと、
前記第２のＭＴＣＨが前記ＭＢＳＦＮエリアに無関連であるとき、前記第２のＭＴＣＨのためのスケジューリング情報を取得するためにＭＳＩを収集することと
を行うようにさらに構成され、
前記記憶されたＭＳＩは、前記第２のＭＴＣＨが前記ＭＢＳＦＮエリアに関連し、それを介して受信されたとき、前記第２のＭＴＣＨのためのスケジューリング情報を取得するためにアクセスされ、前記第２のＭＴＣＨが、前記取得されたスケジューリング情報に基づいて受信される、Ｃ３０に記載の装置。
［Ｃ３３］
前記処理システムが、複数のＭＢＳＦＮエリアの各々に関連する各物理マルチキャストチャネル（ＰＭＣＨ）のためのＭＳＩを収集することを行うようにさらに構成され、前記収集されたＭＳＩが記憶され、前記記憶されたＭＳＩが、前記第２のＭＴＣＨのためのスケジューリング情報を取得するためにアクセスされ、前記第２のＭＴＣＨが、前記取得されたスケジューリング情報に基づいて受信される、Ｃ３０に記載の装置。
［Ｃ３４］
コンピュータプログラム製品であって、
第１のマルチキャストトラフィックチャネル（ＭＴＣＨ）を受信することと、
少なくとも第２のＭＴＣＨのためのマルチメディアブロードキャストマルチキャストサービス（ＭＢＭＳ）制御情報を記憶することと、
前記第２のＭＴＣＨを受信することを判断することと、
前記第２のＭＴＣＨを受信することを判断すると、前記第２のＭＴＣＨのための前記記憶されたＭＢＭＳ制御情報にアクセスすることと、
前記第２のＭＴＣＨを受信するという前記判断の後、前記第２のＭＴＣＨのための前記ＭＢＭＳ制御情報を収集することなしに、前記アクセスされたＭＢＭＳ制御情報に基づいて前記第２のＭＴＣＨを受信することと
を行うためのコードを備えるコンピュータ可読媒体
を備える、コンピュータプログラム製品。
【図１】
0006049863.tif 000002
【図２】
0006049863.tif 000003
【図３】
0006049863.tif 000004
【図４】
0006049863.tif 000005
【図５】
0006049863.tif 000006
【図６】
0006049863.tif 000007
【図７Ａ】
0006049863.tif 000008
【図７Ｂ】
0006049863.tif 000009
【図８】
0006049863.tif 000010
【図９】
0006049863.tif 000011
【図１０】
0006049863.tif 000012
【図１１】
0006049863.tif 000013
【図１２】
0006049863.tif 000014
【図１３】
0006049863.tif 000015
【図１４】
0006049863.tif 000016
【図１５】
0006049863.tif 000017
【図１６】
0006049863.tif 000018